(57)【要約】【課題】既設の照明装置（既設装置）を新たな照明装置に変更する場合において、既設の照明装置のサイズに応じた新たな照明装置を効率的に構築することが可能な技術等を提供する。【解決手段】既設装置９の一部を利用して構成される照明装置１は、新たな発光部を備える。当該新たな発光部は、長手方向において互いに異なる長さを有し且つ互いに異なる個数の発光素子を有する複数の種類の発光素子モジュール３０ａ，３０ｂ，３０ｃのうちの少なくとも１つの種類の発光素子モジュールで構成される複数の発光素子モジュール（たとえば、１本のＬＥＤモジュール３０ａと１本のＬＥＤモジュール３０ｃとの合計２本且つ２種類のＬＥＤモジュール）を、既設装置９のベースユニット１１に配置して形成される。【選択図】図１２
2020027740.tif 000002
【特許請求の範囲】
【請求項１】
既設の照明器具である既設装置の一部を利用して構成される照明装置であって、
長手方向において互いに異なる長さを有し且つ互いに異なる個数の発光素子を有する複数の種類の発光素子モジュールのうちの少なくとも１つの種類の発光素子モジュールで構成される複数の発光素子モジュールを、前記既設装置のベースユニットと前記既設装置の反射板との少なくとも一方に配置して形成される発光部、
を備えることを特徴とする照明装置。
【請求項２】
請求項１に記載の照明装置において、
前記複数の発光素子モジュールは、前記複数の種類の発光素子モジュールのうちの２種類以上の発光素子モジュールで構成されることを特徴とする照明装置。
【請求項３】
請求項２に記載の照明装置において、
前記複数の種類の発光素子モジュールは、
第１種類モジュールと、
前記長手方向において前記第１種類モジュールよりも大きな長さを有する第２種類モジュールと、
前記長手方向において前記第２種類モジュールよりも大きな長さを有する第３種類モジュールと、
を有し、
前記２種類以上の発光素子モジュールは、前記第３種類モジュールを含み、且つ、前記第１種類モジュールと前記第２種類モジュールとの少なくとも一方をも含むことを特徴とする照明装置。
【請求項４】
請求項１から請求項３のいずれかに記載の照明装置において、
前記少なくとも１つの種類の発光素子モジュールは、前記複数の発光素子モジュールの個数が最も少なくなるように、前記複数の種類の発光素子モジュールの中から決定されることを特徴とする照明装置。
【請求項５】
請求項１または請求項２に記載の照明装置において、
前記長手方向における長さが互いに異なる前記複数の種類の発光素子モジュールは、単位長の整数倍の長さをそれぞれ有することを特徴とする照明装置。
【請求項６】
請求項５に記載の照明装置において、
前記複数の種類の発光素子モジュールは、
第１種類モジュールと、
前記長手方向において前記第１種類モジュールの２倍の長さを有する第２種類モジュールと、
前記長手方向において前記第１種類モジュールの３倍の長さを有する第３種類モジュールと、
を有することを特徴とする照明装置。
【請求項７】
請求項１から請求項６のいずれかに記載の照明装置において、
前記複数の発光素子モジュールは、それぞれ、
前記長手方向に沿って直線状に配置される複数の発光素子、
を有し、
前記複数の発光素子モジュールのうち第１モジュールと第２モジュールとが前記長手方向に沿って直列的に配置され、
前記第１モジュールの前記複数の発光素子は、前記長手方向において所定間隔で配列され、
前記第２モジュールの前記複数の発光素子は、前記長手方向において前記所定間隔で配列され、
前記第１モジュールの前記複数の発光素子のうち最も前記第２モジュール側に配置された発光素子である第１発光素子と、前記第１モジュールの前記第２モジュール側端部との間隔は、前記所定間隔の半分であり、
前記第２モジュールの前記複数の発光素子のうち最も前記第１モジュール側に配置された発光素子である第２発光素子と、前記第２モジュールの前記第１モジュール側端部との間隔は、前記所定間隔の半分であり、
前記第１発光素子と前記第２発光素子との間隔は、前記所定間隔に等しいことを特徴とする照明装置。
【請求項８】
請求項１から請求項７のいずれかに記載の照明装置において、
前記複数の発光素子モジュールは、前記既設装置の蛍光灯および前記既設装置の蛍光灯固定具に代えて、前記ベースユニットと前記反射板との少なくとも一方に取り付けられることを特徴とする照明装置。
【請求項９】
請求項１から請求項８のいずれかに記載の照明装置において、
前記照明装置の外観構成要素は、前記既設装置の外観構成要素のうちの少なくとも一部の外観構成要素を有し、
前記少なくとも一部の外観構成要素は、前記既設装置の前記ベースユニットと前記既設装置の前記反射板と前記既設装置にて蛍光灯を覆っていた半透明カバー部材とのいずれかを含むことを特徴とする照明装置。
【請求項１０】
既設の照明器具である既設装置の一部を利用して構成される照明装置の製造方法であって、
ａ）長手方向における長さが互いに異なる複数の種類の発光素子モジュールの中から、前記照明装置を構成するために用いるべき少なくとも１つの種類の発光素子モジュールで構成される複数の発光素子モジュールを、前記既設装置の大きさに応じて決定する工程と、
ｂ）前記複数の発光素子モジュールを前記既設装置のベースユニットと前記既設装置の反射板との少なくとも一方に配置して、前記照明装置の発光部を形成する工程と、
を備えることを特徴とする、照明装置の製造方法。
【請求項１１】
既設の照明器具である既設装置の一部を利用して構成される照明装置の発光ユニットであって、
長手方向において互いに異なる長さを有し且つ互いに異なる個数の発光素子を有する複数の種類の発光素子モジュールのうちの少なくとも１つの種類の発光素子モジュールで構成される複数の発光素子モジュール、
を備え、
前記複数の発光モジュールは、前記既設装置のベースユニットと前記既設装置の反射板との少なくとも一方に取り付けられるものであることを特徴とする発光ユニット。
【請求項１２】
既設の照明器具である既設装置の一部を利用して構成される照明装置における発光ユニットの製造方法であって、
ａ）長手方向における長さが互いに異なる複数の種類の発光素子モジュールを製造する工程と、
ｂ）前記複数の種類の発光素子モジュールのうち前記照明装置を構成するために用いるべき少なくとも１つの種類の発光素子モジュールで構成される複数の発光素子モジュールを、前記既設装置の大きさに応じて決定する工程と、
ｃ）前記複数の発光素子モジュールを電気的に接続する工程と、
を備えることを特徴とする、発光ユニットの製造方法。
【請求項１３】
既設の複数の照明器具である複数の既設装置の一部をそれぞれ利用して構成される複数の照明装置を備える照明装置群であって、
前記複数の照明装置のうちの第１の照明装置は、
長手方向における長さが互いに異なる複数の種類の発光素子モジュールのうちの少なくとも１つの種類の発光素子モジュールで構成される複数の発光素子モジュールを、既設の一の照明器具である第１の既設装置のベースユニットと前記第１の既設装置の反射板との少なくとも一方に配置して形成される第１発光部、
を有し、
前記複数の照明装置のうちの第２の照明装置は、
前記複数の種類の発光素子モジュールのうち前記第１の照明装置で採用された組合せとは異なる組合せに係る少なくとも１つの種類の発光素子モジュールで構成される複数の発光素子モジュールを、既設の他の照明器具である第２の既設装置のベースユニットと前記第２の既設装置の反射板との少なくとも一方に配置して形成される第２発光部、
を有することを特徴とする照明装置群。
【請求項１４】
既設の複数の照明器具である複数の既設装置の一部をそれぞれ利用して構成される複数の照明装置を備える照明装置群であって、
第１の照明装置と、
第２の照明装置と、
第３の照明装置と、
を備え、
前記複数の照明装置は、それぞれ、
長手方向における長さが互いに異なる複数の種類の発光素子モジュールのうちの少なくとも１つの種類の発光素子モジュールで構成される１又は複数の発光素子モジュールを、既設の照明器具である既設装置のベースユニットと前記既設装置の反射板との少なくとも一方に配置して形成される発光部、
を有し、
前記第１の照明装置は、前記複数の既設装置のうちの第１の既設装置に代えて設置される装置であり、
前記第２の照明装置は、前記複数の既設装置のうち前記第１の既設装置の蛍光灯よりも長い蛍光灯を有する第２の既設装置に代えて設置される装置であり、
前記第３の照明装置は、前記複数の既設装置のうち前記第１の既設装置の蛍光灯よりも長く且つ前記第２の既設装置の蛍光灯よりも短い蛍光灯を有する第３の既設装置に代えて設置される装置であり、
前記第１の照明装置の前記発光部である第１の発光部は、前記複数の種類の発光素子モジュールのうち最も長い第１種類の発光素子モジュールを１個備えることによって形成され、
前記第２の照明装置の前記発光部である第２の発光部は、前記第１種類の発光素子モジュールを複数個直線状に配列することによって形成され、
前記第３の照明装置の前記発光部である第３の発光部は、前記第１種類の発光素子モジュールと、当該第１種類の発光素子モジュールよりも短い別の種類の発光素子モジュールとを直線状に配列することによって形成されることを特徴とする照明装置群。
【請求項１５】
請求項１４に記載の照明装置群において、
第４の照明装置、
をさらに備え、
前記第４の照明装置は、略円形形状のベースユニットを有する第４の既設装置に代えて設置される装置であり、
前記第４の照明装置の前記発光部である第４の発光部は、前記第１種類の発光素子モジュールと、当該第１種類の発光素子モジュールよりも短い第２種類の発光素子モジュールと、当該第２種類の発光素子モジュールよりも短い第３種類の発光素子モジュールとが前記略円形形状の前記ベースユニットに並列的に配列されることによって、形成されることを特徴とする照明装置群。
【発明の詳細な説明】
【技術分野】
【０００１】
本発明は、ＬＥＤ照明装置などの照明装置およびそれに関連する技術に関する。
【背景技術】
【０００２】
従来、天井等に設置される照明装置（照明器具とも称する）として、蛍光灯を用いた照明装置（蛍光灯照明装置とも称する）が多く用いられている。たとえば、長尺状の１本あるいは２本の蛍光灯（直管型蛍光灯）を有する照明装置が存在する。また、丸型蛍光灯を有する照明装置等も存在する。
【０００３】
また近年、ＬＥＤ（発光ダイオード）を用いた照明装置（ＬＥＤ照明装置とも称する）等も市場に投入されてきている。ＬＥＤ照明装置は、低消費電力および長寿命などの特徴を有しており、既設の蛍光灯照明装置をＬＥＤ照明装置に置き換えることも行われている。
【発明の概要】
【発明が解決しようとする課題】
【０００４】
既設の照明装置（たとえば蛍光灯を光源とする照明装置）を新たな照明装置（たとえば、ＬＥＤを光源とする照明装置）に変更する場合には、既設の照明装置を全く新しい照明装置（たとえば、全く新しいＬＥＤ照明装置）に置き換えることが考えられる。
【０００５】
しかしながら、この場合、既設の照明装置の部品は、新しいＬＥＤ照明装置では全く使用されず廃棄されることも多いなど、必ずしも環境への配慮が十分であるとは言えない。また、新しいＬＥＤ照明装置を導入するための比較的高いコストを要する。
【０００６】
これに対して、本願発明者は、既設の照明装置の一部を利用しつつ新たな照明装置を製造することを案出した。
【０００７】
ただし、既設の照明装置のサイズは様々である。複数の照明装置のそれぞれに応じた発光部を逐一設計することには大きな労力を要する。
【０００８】
そこで、この発明は、既設の照明装置を新たな照明装置に変更する場合において、既設の照明装置のサイズに応じた新たな照明装置を効率的に構築することが可能な技術、およびそれに関連する技術を提供することを課題とする。
【課題を解決するための手段】
【０００９】
上記課題を解決すべく、請求項１の発明は、既設の照明器具である既設装置の一部を利用して構成される照明装置であって、長手方向において互いに異なる長さを有し且つ互いに異なる個数の発光素子を有する複数の種類の発光素子モジュールのうちの少なくとも１つの種類の発光素子モジュールで構成される複数の発光素子モジュールを、前記既設装置のベースユニットと前記既設装置の反射板との少なくとも一方に配置して形成される発光部、を備えることを特徴とする。
【００１０】
請求項２の発明は、請求項１の発明に係る照明装置において、前記複数の発光素子モジュールは、前記複数の種類の発光素子モジュールのうちの２種類以上の発光素子モジュールで構成されることを特徴とする。
【００１１】
請求項３の発明は、請求項２の発明に係る照明装置において、前記複数の種類の発光素子モジュールは、第１種類モジュールと、前記長手方向において前記第１種類モジュールよりも大きな長さを有する第２種類モジュールと、前記長手方向において前記第２種類モジュールよりも大きな長さを有する第３種類モジュールと、を有し、前記２種類以上の発光素子モジュールは、前記第３種類モジュールを含み、且つ、前記第１種類モジュールと前記第２種類モジュールとの少なくとも一方をも含むことを特徴とする照明装置。
【００１２】
請求項４の発明は、請求項１から請求項３のいずれかの発明に係る照明装置において、前記少なくとも１つの種類の発光素子モジュールは、前記複数の発光素子モジュールの個数が最も少なくなるように、前記複数の種類の発光素子モジュールの中から決定されることを特徴とする。
【００１３】
請求項５の発明は、請求項１または請求項２の発明に係る照明装置において、前記長手方向における長さが互いに異なる前記複数の種類の発光素子モジュールは、単位長の整数倍の長さをそれぞれ有することを特徴とする。
【００１４】
請求項６の発明は、請求項５の発明に係る照明装置において、前記複数の種類の発光素子モジュールは、第１種類モジュールと、前記長手方向において前記第１種類モジュールの２倍の長さを有する第２種類モジュールと、前記長手方向において前記第１種類モジュールの３倍の長さを有する第３種類モジュールと、を有することを特徴とする。
【００１５】
請求項７の発明は、請求項１から請求項６のいずれかの発明に係る照明装置において、前記複数の発光素子モジュールは、それぞれ、前記長手方向に沿って直線状に配置される複数の発光素子、を有し、前記複数の発光素子モジュールのうち第１モジュールと第２モジュールとが前記長手方向に沿って直列的に配置され、前記第１モジュールの前記複数の発光素子は、前記長手方向において所定間隔で配列され、前記第２モジュールの前記複数の発光素子は、前記長手方向において前記所定間隔で配列され、前記第１モジュールの前記複数の発光素子のうち最も前記第２モジュール側に配置された発光素子である第１発光素子と、前記第１モジュールの前記第２モジュール側端部との間隔は、前記所定間隔の半分であり、前記第２モジュールの前記複数の発光素子のうち最も前記第１モジュール側に配置された発光素子である第２発光素子と、前記第２モジュールの前記第１モジュール側端部との間隔は、前記所定間隔の半分であり、前記第１発光素子と前記第２発光素子との間隔は、前記所定間隔に等しいことを特徴とする。
【００１６】
請求項８の発明は、請求項１から請求項７のいずれかの発明に係る照明装置において、前記複数の発光素子モジュールは、前記既設装置の蛍光灯および前記既設装置の蛍光灯固定具に代えて、前記ベースユニットと前記反射板との少なくとも一方に取り付けられることを特徴とする。
【００１７】
請求項９の発明は、請求項１から請求項８のいずれかの発明に係る照明装置において、前記照明装置の外観構成要素は、前記既設装置の外観構成要素のうちの少なくとも一部の外観構成要素を有し、前記少なくとも一部の外観構成要素は、前記既設装置の前記ベースユニットと前記既設装置の前記反射板と前記既設装置にて蛍光灯を覆っていた半透明カバー部材とのいずれかを含むことを特徴とする。
【００１８】
請求項１０の発明は、既設の照明器具である既設装置の一部を利用して構成される照明装置の製造方法であって、ａ）長手方向における長さが互いに異なる複数の種類の発光素子モジュールの中から、前記照明装置を構成するために用いるべき少なくとも１つの種類の発光素子モジュールで構成される複数の発光素子モジュールを、前記既設装置の大きさに応じて決定する工程と、ｂ）前記複数の発光素子モジュールを前記既設装置のベースユニットと前記既設装置の反射板との少なくとも一方に配置して、前記照明装置の発光部を形成する工程と、を備えることを特徴とする。
【００１９】
請求項１１の発明は、既設の照明器具である既設装置の一部を利用して構成される照明装置の発光ユニットであって、長手方向において互いに異なる長さを有し且つ互いに異なる個数の発光素子を有する複数の種類の発光素子モジュールのうちの少なくとも１つの種類の発光素子モジュールで構成される複数の発光素子モジュール、を備え、前記複数の発光モジュールは、前記既設装置のベースユニットと前記既設装置の反射板との少なくとも一方に取り付けられるものであることを特徴とする。
【００２０】
請求項１２の発明は、既設の照明器具である既設装置の一部を利用して構成される照明装置における発光ユニットの製造方法であって、ａ）長手方向における長さが互いに異なる複数の種類の発光素子モジュールを製造する工程と、ｂ）前記複数の種類の発光素子モジュールのうち前記照明装置を構成するために用いるべき少なくとも１つの種類の発光素子モジュールで構成される複数の発光素子モジュールを、前記既設装置の大きさに応じて決定する工程と、ｃ）前記複数の発光素子モジュールを電気的に接続する工程と、を備えることを特徴とする。
【００２１】
請求項１３の発明は、既設の複数の照明器具である複数の既設装置のそれぞれの一部を利用して構成される複数の照明装置を備える照明装置群であって、前記複数の照明装置のうちの第１の照明装置は、長手方向における長さが互いに異なる複数の種類の発光素子モジュールのうちの少なくとも１つの種類の発光素子モジュールで構成される複数の発光素子モジュールを、既設の一の照明器具である第１の既設装置のベースユニットと前記第１の既設装置の反射板との少なくとも一方に配置して形成される第１発光部、を有し、前記複数の照明装置のうちの第２の照明装置は、前記複数の種類の発光素子モジュールのうち前記第１の照明装置で採用された組合せとは異なる組合せに係る少なくとも１つの種類の発光素子モジュールで構成される複数の発光素子モジュールを、既設の他の照明器具である第２の既設装置のベースユニットと前記第２の既設装置の反射板との少なくとも一方に配置して形成される第２発光部、を有することを特徴とする。
【００２２】
請求項１４の発明は、既設の複数の照明器具である複数の既設装置のそれぞれの一部を利用して構成される複数の照明装置を備える照明装置群であって、第１の照明装置と、第２の照明装置と、第３の照明装置と、を備え、前記複数の照明装置は、それぞれ、長手方向における長さが互いに異なる複数の種類の発光素子モジュールのうちの少なくとも１つの種類の発光素子モジュールで構成される１又は複数の発光素子モジュールを、既設の照明器具である既設装置のベースユニットと前記既設装置の反射板との少なくとも一方に配置して形成される発光部、を有し、前記第１の照明装置は、前記複数の既設装置のうちの第１の既設装置に代えて設置される装置であり、前記第２の照明装置は、前記複数の既設装置のうち前記第１の既設装置の蛍光灯よりも長い蛍光灯を有する第２の既設装置に代えて設置される装置であり、前記第３の照明装置は、前記複数の既設装置のうち前記第１の既設装置の蛍光灯よりも長く且つ前記第２の既設装置の蛍光灯よりも短い蛍光灯を有する第３の既設装置に代えて設置される装置であり、前記第１の照明装置の前記発光部である第１の発光部は、前記複数の種類の発光素子モジュールのうち最も長い第１種類の発光素子モジュールを１個備えることによって形成され、前記第２の照明装置の前記発光部である第２の発光部は、前記第１種類の発光素子モジュールを複数個直線状に配列することによって形成され、前記第３の照明装置の前記発光部である第３の発光部は、前記第１種類の発光素子モジュールと、当該第１種類の発光素子モジュールよりも短い別の種類の発光素子モジュールとを直線状に配列することによって形成されることを特徴とする。
【００２３】
請求項１５の発明は、請求項１４の発明に係る照明装置群において、第４の照明装置、をさらに備え、前記第４の照明装置は、略円形形状のベースユニットを有する第４の既設装置に代えて設置される装置であり、前記第４の照明装置の前記発光部である第４の発光部は、前記第１種類の発光素子モジュールと、当該第１種類の発光素子モジュールよりも短い第２種類の発光素子モジュールと、当該第２種類の発光素子モジュールよりも短い第３種類の発光素子モジュールとが前記略円形形状の前記ベースユニットに並列的に配列されることによって、形成されることを特徴とする。
【発明の効果】
【００２４】
請求項１から請求項１５に記載の発明によれば、既設の照明装置を新たな照明装置に変更する場合において、既設の照明装置のサイズに応じた新たな照明装置を効率的に構築することが可能である。
【図面の簡単な説明】
【００２５】
【図１】リプレース後の一の照明装置を示す斜視図である。
【図２】リプレース後の別の照明装置を示す斜視図である。
【図３】図２の照明装置の分解斜視図である。
【図４】発光ユニットを示す斜視図である。
【図５】発光ユニットの断面図である。
【図６】カバーユニットを外した状態の発光ユニットを示す斜視図である。
【図７】発光ユニットの分解斜視図である。
【図８】大サイズのＬＥＤモジュールを示す図である。
【図９】中サイズのＬＥＤモジュールを示す図である。
【図１０】小サイズのＬＥＤモジュールを示す図である。
【図１１】３つの大サイズのＬＥＤモジュールが直列的に配列されて発光部が形成される様子を示す図である。
【図１２】大サイズのＬＥＤモジュールと小サイズのＬＥＤモジュールとが直列的に配列されて発光部が形成される様子を示す図である。
【図１３】大サイズのＬＥＤモジュールと中サイズのＬＥＤモジュールとが直列的に配列されて発光部が形成される様子を示す図である。
【図１４】既設装置が新たな照明装置にリプレースされる様子を示す図である。
【図１５】リプレース後の照明装置を下側から見た図である。
【図１６】他の既設装置が新たな照明装置にリプレースされる様子を示す図である。
【図１７】リプレース後の照明装置を下側から見た図である。
【図１８】他の既設装置が新たな照明装置にリプレースされる様子を示す図である。
【図１９】リプレース後の照明装置を下側から見た図である。
【図２０】他の既設装置が新たな照明装置にリプレースされる様子を示す図である。
【図２１】リプレース後の照明装置を下側から見た図である。
【図２２】他の既設装置が新たな照明装置にリプレースされる様子を示す図である。
【図２３】リプレース後の照明装置を下側から見た図である。
【図２４】他の既設装置が新たな照明装置にリプレースされる様子を示す図である。
【図２５】リプレース後の照明装置を下側から見た図である。
【図２６】他の既設装置が新たな照明装置にリプレースされる様子を示す図である。
【図２７】リプレース後の照明装置を下側から見た図である。
【図２８】他の既設装置が新たな照明装置にリプレースされる様子を示す図である。
【図２９】リプレース後の照明装置を下側から見た図である。
【図３０】他の既設装置が新たな照明装置にリプレースされる様子を示す図である。
【図３１】リプレース後の照明装置を下側から見た図である。
【図３２】他の既設装置が新たな照明装置にリプレースされる様子を示す図である。
【図３３】リプレース後の照明装置を下側から見た図である。
【図３４】各照明装置を構成するＬＥＤモジュールの組合せを示す図である。
【図３５】既設装置を示す図である。
【図３６】既設装置を示す図である。
【発明を実施するための形態】
【００２６】
以下、本発明の実施形態を図面に基づいて説明する。
【００２７】
＜１．リプレース概略＞
この実施形態では、或る建造物において既に設置されている複数の照明装置９（既設装置群とも称する）を複数の新たな照明装置１（新規装置群とも称する）に変更（リプレース）する状況を想定する。そして、このような状況において、既設の複数の照明装置（既設装置とも称する）９（図３５および図３６等参照）のそれぞれの一部（ベースユニット１１等）を利用して複数の照明装置１（図１および図２等参照）のそれぞれが構成される。換言すれば、新たな各照明装置１が、各既設装置９の一部を利用してそれぞれ構成される。以下、このような態様について詳細に説明する。
【００２８】
ここでは、１０種類の既設装置９（９Ａ〜９Ｊ）がそれぞれ新たな１０種類の照明装置１（１Ａ〜１Ｊ）へと変更される（図１４〜図３３等参照）。なお、新旧の両照明装置１，９を互いに区別するため、既設の照明装置９を照明器具あるいは既設装置などとも称する。また、基本的には、既設の照明器具（照明装置）９を既設装置と称し、新たな照明装置１を単に照明装置と称して両者を区別するものとする。
【００２９】
図３５は、或る建造物において既に設置されている照明器具（既設装置）９（９Ｂ）を示す図である。また、図３６は、当該建造物内の別の場所（あるいは別の建造物）において既に設置されている別の種類の照明器具９（９Ｇ）を示す図である。後述するように、当該建造物においては、さらに別の種類の照明器具９（９Ａ，９Ｃ，９Ｄ，９Ｅ、９Ｆ，９Ｈ，９Ｉ，９Ｊ等）（図１４〜図１５、図１８〜図２５、図２８〜図３３等参照）も既に設置されている。
【００３０】
既設装置９は、蛍光灯を照明光源とする照明装置であり、照明装置１はＬＥＤ（発光ダイオード）を照明光源とする照明装置である。
【００３１】
新たな各照明装置１は、各既設装置９の一部（ベースユニット１１等）を利用して構成される。具体的には、既設装置９の蛍光灯９０と当該蛍光灯を固定するための蛍光灯固定具（蛍光灯ソケット（給電用ソケットとも称される）９３等）とが既設装置９から取り外された上で、既設装置９のベースユニット１１と反射板１２との少なくとも一方にＬＥＤモジュール３０等が取り付けられて新たな照明装置１が構成される。換言すれば、１又は複数のＬＥＤモジュール３０（発光素子モジュール）が、既設装置９の蛍光灯９０および既設装置の蛍光灯固定具（蛍光灯ソケット９３あるいは固定用リング等）に代えて、既設装置９のベースユニット１１と既設装置９の反射板１２との少なくとも一方に取り付けられる。また、既設装置９の外観構成要素（ベースユニット１１、反射板１２、半透明カバー部材１４および枠部材１５（図２４参照）等）の全部または一部を利用して、照明装置１の外観構成要素が構成される。端的に言えば、既設装置９の外観を概ね維持した状態で、既設装置９の発光部（蛍光灯９０および蛍光灯固定具（蛍光灯ソケット９３等）を含む）が新たな発光部（発光ユニット６０等）へと変更されることによって、新たな照明装置１が形成される。
【００３２】
たとえば、既設装置９Ｂ（図３５）は、照明装置１Ｂ（図１）へとリプレースされる。詳細には、既設装置９Ｂの蛍光灯９０Ｂと１組の蛍光灯ソケット９３Ｂと安定器９４Ｂとが既設装置９Ｂから取り外された上で、既設装置９Ｂのベースユニット１１ＢにＤＣ電源（ＡＣ−ＤＣコンバータを含む）７０Ｂ等が取り付けられ且つ発光ユニット６０Ｂ（ＬＥＤモジュール３０Ｂ、モジュールベース４０Ｂおよびカバーユニット５０Ｂを含む）が反射板１２Ｂに取り付けられて新たな照明装置１Ｂが構成される。また、既設装置９Ｂの外観構成要素（ベースユニット１１および反射板１２）を利用して、照明装置１Ｂの外観構成要素が構成される。なお、図１は、リプレース後の照明装置１Ｂを示す斜視図である。
【００３３】
また、既設装置９Ｇ（図３６）は、照明装置１Ｇ（図２および図３参照）へとリプレースされる。詳細には、既設装置９Ｇの４本の蛍光灯９０Ｇと４組の蛍光灯ソケット９３Ｇと安定器９４Ｇとが既設装置９Ｇから取り外された上で、既設装置９Ｇのベースユニット１１Ｇ（図２および図３参照）に４個の発光ユニット６０Ｇ（ＬＥＤモジュール３０Ｇ、モジュールベース４０Ｇ、カバーユニット５０Ｇを含む）およびＤＣ電源７０Ｇ等が取り付けられて新たな照明装置１Ｇが構成される。また、既設装置９Ｇの外観構成要素（ベースユニット１１、枠部材１５、半透明カバー部材１４）を利用して、照明装置１Ｇの外観構成要素が構成される。なお、図２は、照明装置１Ｇの組立斜視図であり、図３は、照明装置１Ｇの分解斜視図である。
【００３４】
他の既設装置９についても同様である。
【００３５】
これによれば、各既設装置９の構成要素（ベースユニット１１等）を利用して各照明装置１が構成されるので、各照明装置１を低コストで構築することが可能である。また、廃棄部品を低減することができるので、環境にも優しい。
【００３６】
＜２．発光ユニット６０およびＤＣ電源７０等＞
上述のように、新たな各照明装置１では、各既設装置９の蛍光灯９０に代えて発光ユニット６０が設けられる。
【００３７】
図４〜図８等に示されるように、発光ユニット６０は、ＬＥＤモジュール３０（３０ａ，３０ｂ，３０ｃ）とモジュールベース（ランプベースとも称する）４０とカバーユニット５０とを備えて構成される。
【００３８】
図４は、発光ユニット６０を示す斜視図であり、図５は、発光ユニット６０の断面図である。図４においては、図示の都合上、カバー５１の一部が切り取られて、発光ユニット６０の内部の様子が示されている。また、図６は、カバーユニット５０を外した状態の発光ユニット６０を示す斜視図（組立斜視図）であり、図７は、当該発光ユニット６０の分解斜視図である。換言すれば、図６および図７では、カバーユニット５０の図示が省略されている。さらに、図８〜図１０は、３種類のＬＥＤモジュール３０ａ，３０ｂ，３０ｃをそれぞれ示す図である。
【００３９】
各照明装置１の発光ユニット（発光部）６０は、長尺状のＬＥＤモジュール３０（発光素子モジュールとも称する）等を用いて構成される。詳細には、発光ユニット６０は、複数の種類（ここでは３種類）の発光素子モジュール３０（３０ａ，３０ｂ，３０ｃ）のうちの少なくとも１つの種類の発光素子モジュールで構成される１又は複数の発光素子モジュールを用いて構成される。より具体的には、当該１又は複数の発光素子モジュールが既設装置９のベースユニット１１と既設装置９の反射板１２との少なくとも一方に（一次元状に或いは二次元状に）配置される（取り付けられる）ことによって、発光ユニット６０が形成される。
【００４０】
３種類のＬＥＤモジュール３０ａ，３０ｂ，３０ｃ（図８〜図１０参照）は、それぞれ、長手方向において互いに異なる長さを有し且つ互いに異なる個数の発光素子を有する（後述）。
【００４１】
複数の種類の照明装置１（１Ａ〜１Ｊ）（照明装置群とも称する）の発光部（発光ユニット６０（６０Ａ〜６０Ｊ）を含む）は、それぞれ、３種類のＬＥＤモジュール３０ａ，３０ｂ，３０ｃのうちの少なくとも１種類のＬＥＤモジュールを用いて構築される。詳細には、当該少なくとも１種類のＬＥＤモジュールで構成される１又は複数のＬＥＤモジュール３０が用いられる。各照明装置１における各ＬＥＤモジュール３０の具体的構成について後に詳述する。
【００４２】
また、各照明装置１においては、当該１又は複数のＬＥＤモジュール３０が、少なくとも１つのモジュールベース（ランプベース）４０（図５および図７等参照）に固定される。換言すれば、各照明装置１は、当該各照明装置１に設けられる１又は複数のＬＥＤモジュール３０のうちの１又は２以上のモジュールをそれぞれ固定する少なくとも１つのモジュールベース４０を備える。たとえば、照明装置１Ｂは、３個のＬＥＤモジュール３０ａを固定するモジュールベース４０Ｂ（図１および図１７参照）を備え、照明装置１Ｄは、ＬＥＤモジュール３０ａ，３０ｃを固定するモジュールベース４０Ｂ（図２および図２１参照）を備える。また、照明装置１Ｊ（図３３参照）は、ＬＥＤモジュール３０ａを固定する１個のモジュールベース４０Ｊａと、ＬＥＤモジュール３０ｂを固定する１個のモジュールベース４０Ｊｂと、ＬＥＤモジュール３０ｃを固定する４個のモジュールベース４０Ｊｃとを備える。
【００４３】
モジュールベース４０は、たとえばアルミ成形品として形成される。より詳細には、モジュールベース４０は、長尺方向における何れの位置の断面においても同じ断面形状（図５参照）を有する非常に長い長尺状部材から、切り出されて形成される。モジュールベース４０は、既設装置９のベースユニット１１（あるいは蛍光灯９０）の大きさ（長さ）に応じた長さを有するように切り出される。
【００４４】
モジュールベース４０は、ＬＥＤモジュール３０内のＬＥＤ３１の点灯による熱を外部へと放出する放熱部材としても機能する。
【００４５】
モジュールベース４０は、図５の断面図に示されるように、モジュール載置部４１とモジュールガイド４２とネジ止め用スリット４３とカバー用スリット４４とカバーガイド４５と突出部４６とを有している。ＬＥＤモジュール３０（詳細には、複数のＬＥＤ３１が固定された基板（電子基板）３２）は、長尺方向に伸びる２本のモジュールガイド４２に案内されて長尺方向に垂直な方向の位置決めがなされた状態でモジュール載置部４１に載置される。そして、基板３２がネジ４９（タッピングビス等）によってモジュールベース４０に固定される。具体的には、その軸部のみが基板３２のネジ孔を貫通するネジ４９が、当該ネジの軸径よりも若干小さなスリット幅を有するネジ止め用スリット４３に進入して締結されることによって、ＬＥＤモジュール３０がモジュールベース４０に対して固定される。
【００４６】
また、モジュールベース４０にはカバーユニット５０がさらに取り付けられる。カバーユニット５０は、半透明のカバー（透光性を有するカバー）５１と、長尺状の当該カバー５１をその伸延方向（長尺方向）の両端部で固定する端側部材（エンドカバー）５２（図４参照）とを備えている。具体的には、可撓性を有する薄板形状の半透明のカバー（アクリルカバー）５１が略半円柱状（半円筒状）に変形された状態で、断面視における半円の円弧の両端部がカバー用スリット４４に挿入される（図５参照）。換言すれば、長尺方向に垂直な方向におけるカバー５１の移動がカバーガイド４５（およびカバー用スリット４４）によって制限された状態でカバー５１がモジュールベース４０に対して配置される。そして、当該半円柱状のカバー５１の長尺方向における両端部が端側部材（エンドカバー）５２によって固定されることによって、カバー５１の長尺方向における移動が規制されるとともに、当該カバー５１がモジュールベース４０に対して固定される。
【００４７】
そして、ＬＥＤモジュール３０を含む発光ユニット６０は、モジュールベース４０の突出部４６（モジュールベース４０の取付面（図５における底面）における両側方への突出部４６）の取付面が固定対象物（ベースユニット１１および／または反射板１２等）に接する状態で、ネジ４８（タッピングビス等）によって当該固定対象物に対して固定される。
【００４８】
このように、各照明装置１においては、１又は複数のＬＥＤモジュール３０が少なくとも１つのモジュールベース４０を介して、既設装置９のベースユニット１１と反射板１２との少なくとも一方に取り付けられる。また、１つ以上のＬＥＤモジュール３０が固定されたモジュールベース４０に対してカバーユニット５０が設けられて、発光ユニット６０が構成される。なお、カバーユニット５０が設けられた各発光ユニット６０は、それぞれ、１本の蛍光灯に類似した外観を有している。
【００４９】
また、新たな各照明装置１には、それぞれ、発光ユニット６０に対して電力を供給するＤＣ電源（直流電源）７０等もが新たに設けられる。より詳細には、各照明装置１においては、それぞれ、ＤＣ電源７０と端子台７５（図１等参照）とがベースユニット１１に固定され、ＤＣ電源７０と端子台７５とが互いに電気的に接続される。また、照明装置１の設置工事（特に電気工事）の際に、ＡＣ電源（交流電源）からの電力線が端子台７５の接続端子に接続される。これにより、ＡＣ電源からの電力が直流に変換されてＬＥＤ３１に供給される。なお、各ＤＣ電源７０等は、既設装置９の蛍光灯９０用の安定器等が配置されていた場所（ベースユニット１１内の所定位置）等に（当該安定器等に代えて）取り付けられればよい。
【００５０】
＜３．ＬＥＤモジュール３０の詳細構成等＞
上述のように、複数の種類の照明装置１（１Ａ〜１Ｊ）の発光部（発光ユニット６０（６０Ａ〜６０Ｊ））は、それぞれ、３種類のＬＥＤモジュール３０ａ，３０ｂ，３０ｃのうちの少なくとも１種類のＬＥＤモジュールを用いて構築される。
【００５１】
当該３種類のＬＥＤモジュール（発光素子モジュールとも称する）３０ａ，３０ｂ，３０ｃは、長手方向において互いに異なる長さを有し且つ互いに異なる個数の発光素子を有している。また、当該複数の種類の発光素子モジュールのそれぞれにおける複数の発光素子の配置間隔は、当該複数の種類の発光素子モジュールのいずれにおいても同じ値（ΔＬ）である。
【００５２】
図８に示されるように、ＬＥＤモジュール３０ａは、２４個のＬＥＤ３１と薄板状の矩形形状（細長形状）を有する基板３２ａとを備えている。
【００５３】
具体的には、２４個のＬＥＤ３１が基板３２ａの表面に配置（固定）されて、ＬＥＤモジュール３０ａが構成されている。詳細には、２４個のＬＥＤ３１が当該基板３２ａの長手方向に沿って直線状に（より詳細には、一列に）配置されている。当該２４個のＬＥＤ３１は、ＬＥＤモジュール３０ａ内において、当該長手方向に沿って等間隔（所定間隔ΔＬ）で配置されている。また、ＬＥＤモジュール３０ａの両端部のそれぞれにおいて、最も端部側のＬＥＤ３１（ＬＥＤモジュール３０ａの端部の最も近くに配置される発光素子）から当該端部までの間隔は、所定間隔ΔＬの半分（ΔＬ／２）である。
【００５４】
このＬＥＤモジュール３０ａの長手方向における長さＬａは、３種類のＬＥＤモジュール３０ａ，３０ｂ，３０ｃの長手方向における長さの中で最も大きい。ＬＥＤモジュール３０ａは、「大」サイズのＬＥＤモジュール３０とも称される。
【００５５】
図９に示されるように、ＬＥＤモジュール３０ｂは、１６個のＬＥＤ３１と薄板状の矩形形状（細長形状）を有する基板３２ｂとを備えている。具体的には、１６個のＬＥＤ３１が基板３２ｂの表面に配置（固定）されて、ＬＥＤモジュール３０ｂが構成されている。より詳細には、１６個のＬＥＤ３１が当該基板３２ｂの長手方向に沿って直線状に（一列に）且つ所定間隔ΔＬで配置されている。さらに、ＬＥＤモジュール３０ｂの両端部のそれぞれにおいて、最も端部側のＬＥＤ３１から当該端部までの間隔は、ΔＬ／２である。
【００５６】
このＬＥＤモジュール３０ｂの長手方向における長さは、値Ｌｂ（＜Ｌａ）である。ＬＥＤモジュール３０ｂは、「中」サイズのＬＥＤモジュール３０とも称される。
【００５７】
図１０に示されるように、ＬＥＤモジュール３０ｃは、８個のＬＥＤ３１と薄板状の矩形形状（細長形状）を有する基板３２ｃとを備えている。具体的には、８個のＬＥＤ３１が基板３２ｃの表面に配置（固定）されて、ＬＥＤモジュール３０ｃが構成されている。より詳細には、８個のＬＥＤ３１が当該基板３２ｃの長手方向に沿って直線状に（一列に）且つ所定間隔ΔＬで配置されている。さらに、ＬＥＤモジュール３０ｃの両端部のそれぞれにおいて、最も端部側のＬＥＤ３１から当該端部までの間隔は、ΔＬ／２である。
【００５８】
このＬＥＤモジュール３０ｃの長手方向における長さは、値Ｌｃ（＜Ｌｂ）である。ＬＥＤモジュール３０ｃは、「小」サイズのＬＥＤモジュール３０とも称される。
【００５９】
ここで、複数の種類の発光素子モジュール（ＬＥＤモジュール３０ｃ，３０ｂ，３０ａ）は、所定の単位数（ここでは８個）の整数倍の個数のＬＥＤ３１をそれぞれ有している。具体的には、ＬＥＤモジュール３０ｃは８個のＬＥＤ３１を有しており、ＬＥＤモジュール３０ｂは１６個（＝８個＊２）のＬＥＤ３１を有しており、ＬＥＤモジュール３０ａは２４個（＝８個＊３）のＬＥＤ３１を有している。
【００６０】
たとえば、ＬＥＤモジュール３０ｃでは、８個のＬＥＤ３１が直列接続されて２４Ｖ電源に接続され、各ＬＥＤ３１に約３（＝２４／８）ボルト（Ｖ）がそれぞれ印加されて各ＬＥＤ３１が点灯する。８個のＬＥＤの直列接続のうち、最も＋側（の端子）が端子３３に接続され、最も−側（の端子）が端子３４に接続される。
【００６１】
また、ＬＥＤモジュール３０ｂでは、１６個のＬＥＤ３１が（８個ずつ）２つのユニットに分けられて配線されている。各ユニットにおける８個のＬＥＤの直列接続のうち、最も＋側が端子３３に接続されており、最も−側が端子３４に接続されている。各ユニットにおいては８個のＬＥＤ３１が直列接続され、各ＬＥＤ３１に約３（＝２４／８）ボルト（Ｖ）がそれぞれ印加されて各ＬＥＤ３１が点灯する。
【００６２】
また、ＬＥＤモジュール３０ａでは、２４個のＬＥＤ３１が（８個ずつ）３つのユニットに分けられて配線されている。各ユニットにおける８個のＬＥＤの直列接続のうち、最も＋側が端子３３に接続されており、最も−側が端子３４に接続されている。各ユニットにおいては８個のＬＥＤ３１が直列接続され、各ＬＥＤ３１に約３（＝２４／８）ボルト（Ｖ）がそれぞれ印加されて各ＬＥＤ３１が点灯する。
【００６３】
また、複数の種類の発光素子モジュール（ＬＥＤモジュール３０ｃ，３０ｂ，３０ａ）は、互いに異なる長さを有している。３種類のＬＥＤモジュール３０ｃ，３０ｂ，３０ａのうち、ＬＥＤモジュール３０ａが最も長く、ＬＥＤモジュール３０ｃが最も短い。
【００６４】
より具体的には、複数の種類の発光素子モジュール（ＬＥＤモジュール３０ｃ，３０ｂ，３０ａ）は、所定の単位長Ｌｕ（たとえば、１３６．５ｍｍ）の整数倍の長さをそれぞれ有している。具体的には、ＬＥＤモジュール３０ｃは単位長Ｌｕの１倍の長さ（Ｌｃ＝１＊Ｌｕ）を有しており、ＬＥＤモジュール３０ｂは単位長Ｌｕの２倍の長さ（Ｌｂ＝２＊Ｌｕ）を有しており、ＬＥＤモジュール３０ａは単位長Ｌｕの３倍の長さ（Ｌａ＝３＊Ｌｕ）を有している。たとえば、ＬＥＤモジュール３０ａの長さは、約４０８ｍｍであり、ＬＥＤモジュール３０ｂの長さは、約２７１ｍｍであり、ＬＥＤモジュール３０ｃの長さは、約１３７ｍｍである。なお、このように、単位長ＬｕのＮ倍の長さは、必ずしも（単位長Ｌｕの）「厳密にＮ倍の値」であることを要さず、たとえば数ｍｍ程度（あるいは数パーセント程度）の相違を有するものであってもよい。
【００６５】
このような３種類（大サイズ、中サイズ、小サイズ）のＬＥＤモジュール３０ａ，３０ｂ，３０ｃが予め構築されて準備されている。
【００６６】
そして、上述のように、当該複数の種類の照明装置１（１Ａ〜１Ｊ）の発光部（発光ユニット６０（６０Ａ〜６０Ｊ））は、それぞれ、３種類のＬＥＤモジュール３０ａ，３０ｂ，３０ｃのうちの少なくとも１種類のＬＥＤモジュールによって構築される。
【００６７】
たとえば、照明装置１Ａの発光ユニット６０Ａ（図１５参照）は、１個のＬＥＤモジュール３０ａを用いて構築される。
【００６８】
また、照明装置１Ｂの発光ユニット６０Ｂ（図１７参照）は、３個のＬＥＤモジュール３０ａがそれぞれの長手方向を所定方向（図１７の縦方向）に沿わせて直列的に配置されることによって、構成される（図１１も参照）。より詳細には、図１１の最も上側のＬＥＤモジュール３０ａと中央のＬＥＤモジュール３０ａとが直列的に配置され、且つ更に最も下側のＬＥＤモジュール３０ａもが直列的に配置される。
【００６９】
照明装置１Ｂでは、互いに隣接するＬＥＤモジュール３０ａの相互間において、隣接する端子３３同士が接続され（たとえば端子３３２と端子３３３とが接続され且つ端子３３４と端子３３５とが接続され）、隣接する端子３４同士が接続される（たとえば端子３４２と端子３４３とが接続され且つ端子３４４と端子３４５とが接続される）。また、３個のＬＥＤモジュール３０ａのうちの１つ（ＤＣ電源７０に最も近い側のＬＥＤモジュール３０ａ）の他方端の接続端子（未接続端子）３３（たとえば端子３３１）に対して、（ＤＣ電源７０との）接続ケーブルの一端がハンダ付けされる。接続端子３４（たとえば端子３４１）に関しても同様である。当該各接続ケーブルの他端は、モジュールベース４０のカバー用スリット４４とモジュールベース４０に設けられた孔（カバー用スリット４４の（図５における）下側に設けられた孔（不図示））とを通過して、モジュールベース４０の取付面側（図５の下側）に到達している。当該接続ケーブルの当該他端には、コネクタが取り付けられている。
【００７０】
そして、発光ユニット６０Ｂを反射板１２に取り付ける際に当該コネクタが（反射板１２に設けられた孔（不図示）を通過して）ベースユニット１１内のＤＣ電源７０（２４ボルト）に取り付けられることによって、ＤＣ電源７０とＬＥＤモジュール３０とが電気的に接続される。具体的には、当該コネクタを介して、端子３３がＤＣ電源７０の＋側の出力端子に接続され、端子３４がＤＣ電源７０の−側の出力端子に接続される。
【００７１】
また、照明装置１Ｄでは、複数の種類の発光素子モジュール３０ａ，３０ｂ，３０ｃのうち、照明装置１Ｂで採用された組合せ（ＬＥＤモジュール３０ａのみ）とは異なる組合せに係る少なくとも１つの種類の発光素子モジュールで構成される複数の発光素子モジュールが利用される。
【００７２】
具体的には、照明装置１Ｄの発光ユニット６０Ｄ（図２１参照）は、１個のＬＥＤモジュール３０ａ（大サイズモジュール）と１個のＬＥＤモジュール３０ｃ（小サイズモジュール）とがそれぞれの長手方向を所定方向に沿わせて直列的に配置されることによって、構成される（図１２も参照）。より詳細には、図１２（および図２１）に示されるように、ＬＥＤモジュール３０ａとＬＥＤモジュール３０ｃとが直列的に配列される。より詳細には、（上側の）ＬＥＤモジュール３０ａと（下側の）ＬＥＤモジュール３０ｃとが直列的に配置される。
【００７３】
照明装置１Ｄでは、互いに隣接するＬＥＤモジュール３０ａとＬＥＤモジュール３０ｃとの相互間において、隣接する端子３３同士が接続（端子３３２と端子３３７とが接続）され、隣接する端子３４同士が接続（端子３４２と端子３４７とが接続）される。そして、ＬＥＤモジュール３０ａ，３０ｂのいずれか（たとえば、ＤＣ電源７０に最も近い側のＬＥＤモジュール３０ａ）の他方端の接続端子（未接続端子）３３，３４（たとえば、端子３３１，３４１）が、接続ケーブル（およびそのコネクタ等）を介して、ＤＣ電源７０（不図示）の＋側の出力端子、−側の出力端子にそれぞれ接続される。
【００７４】
他の照明装置１においても同様であり、各照明装置１においては、複数の照明装置に対して共通に予め準備された３種類のＬＥＤモジュール３０ａ，３０ｂ，３０ｃのうち少なくとも１種類のＬＥＤモジュールで構成される１又は複数のＬＥＤモジュールを用いて、当該各照明装置１の発光ユニット６０が構築される。
【００７５】
以上のように、各照明装置１においては、複数の照明装置に対して共通に予め準備された３種類のＬＥＤモジュール３０ａ，３０ｂ，３０ｃのうち少なくとも１種類のＬＥＤモジュールで構成される１又は複数のＬＥＤモジュールを用いて、当該各照明装置１の発光ユニット６０が構築される。
【００７６】
ここにおいて、上述のように、一般に、様々なサイズを有する複数の既設装置９のそれぞれに応じた発光部を逐一設計することは大きな労力を要する。これに対して、この実施形態においては、複数の照明装置に対して共通に予め準備された３種類のＬＥＤモジュール３０ａ，３０ｂ，３０ｃの中から決定された少なくとも１種類のＬＥＤモジュール３０が用いられて、照明装置１の発光ユニット（発光部）６０が形成される。したがって、各既設装置９の大きさに応じて発光部を逐一設計する場合に比べて、既設装置９のサイズに応じた新たな照明装置１を効率的に構築することが可能である。
【００７７】
＜４．発光ユニット６０内での明るさ均一化等＞
この実施形態では、複数の照明装置１のうちの幾つかの照明装置１（たとえば、１Ｂ，１Ｄ等）においては、複数のＬＥＤモジュール３０が、それぞれの長手方向を所定方向（たとえば図１７の縦方向）に沿って直列的に配置される。また、各ＬＥＤモジュール３０における複数のＬＥＤ３１は、互いに所定間隔（一定間隔ΔＬ）で配列される。さらに、各ＬＥＤモジュール３０における各端部の最も近くに配置されるＬＥＤ３１から当該各端部までの間隔は、当該所定間隔ΔＬの半分（ΔＬ／２）である。
【００７８】
たとえば、照明装置１Ｂでは、図１１に示されるように、各ＬＥＤモジュール３０ａに含まれる２４個のＬＥＤ３１が、所定間隔ΔＬで一列に配置される。また、最も上側のＬＥＤモジュール３０ａにて、当該ＬＥＤモジュール３０ａの複数のＬＥＤ３１のうち最も下側（中央のＬＥＤモジュール３０ａ側）に配置されたＬＥＤ３１（下端側ＬＥＤ３１１）から、当該ＬＥＤモジュール３０ａ（最も上側のＬＥＤモジュール３０ａ）の下端までの間隔は、上記所定間隔ΔＬの半分（ΔＬ／２）である（図８も参照）。同様に、中央のＬＥＤモジュール３０ａにおいて、当該ＬＥＤモジュール３０ａの複数のＬＥＤのうち、最も上側（最も上のＬＥＤモジュール３０ａ側）に配置されたＬＥＤ３１（上端側ＬＥＤ３１２）から、当該ＬＥＤモジュール３０ａ（中央のＬＥＤモジュール３０ａ）の上端までの間隔は、当該所定間隔ΔＬの半分（ΔＬ／２）である。その結果、両ＬＥＤモジュール３０ａ，３０ａの境界部分で互いに隣接する２つのＬＥＤ３１１，３１２の間隔は、上記所定間隔ΔＬに等しい。したがって、最も上側のＬＥＤモジュール３０ａと中央のＬＥＤモジュール３０ａとに設けられた合計４８個のＬＥＤ３１は、所定方向においていずれも均一な間隔ΔＬで配置される。これによれば、４８個の点光源が均一に配置されるので、所定方向における明るさの均一化を図ることが可能である。特に、２つのＬＥＤ３１１，３１２の間隔も上記所定間隔ΔＬに等しいので、複数のＬＥＤモジュール３０の相互間の接続部分における明るさの不均一の発生を回避することが可能である。
【００７９】
同様に、中央のＬＥＤモジュール３０ａと最も下側のＬＥＤモジュール３０ａとに設けられた合計４８個のＬＥＤ３１も、所定方向においていずれも均一な間隔ΔＬで配置される。
【００８０】
この結果、直列に配置された３本のＬＥＤモジュール３０ａに設けられた合計７２個のＬＥＤ３１が、所定方向（発光ユニット６０Ｂの伸延方向）においていずれも均一な間隔ΔＬで配置される。したがって、発光ユニット６０Ｂの伸延方向における明るさの均一化を図ることが可能である。
【００８１】
また、照明装置１Ｄでは、図１２（および図２１）に示されるように、ＬＥＤモジュール３０ａに含まれる２４個のＬＥＤ３１が所定間隔ΔＬで一列に配置されるとともに、ＬＥＤモジュール３０ｃに含まれる８個のＬＥＤ３１が所定間隔ΔＬで一列に配置される。さらに、ＬＥＤモジュール３０ａにおいては、当該ＬＥＤモジュール３０ａの複数のＬＥＤ３１のうち最も下側（隣接するＬＥＤモジュール３０ｃ側）に配置されたＬＥＤ３１（下端側ＬＥＤ３１１）から、当該ＬＥＤモジュール３０ａの下端までの間隔は、上記所定間隔ΔＬの半分（ΔＬ／２）である。同様に、（下側の）ＬＥＤモジュール３０ｃにおいては、当該ＬＥＤモジュール３０ｃの複数のＬＥＤ３１のうち、最も上側（ＬＥＤモジュール３０ａ側）に配置されたＬＥＤ３１（上端側ＬＥＤ３１７）から、当該ＬＥＤモジュール３０ｃの上端までの間隔は、当該所定間隔ΔＬの半分（ΔＬ／２）である。その結果、両ＬＥＤモジュール３０ａ，３０ｃの境界部分で互いに隣接する２つのＬＥＤ３１１，３１７の間隔は、当該所定間隔ΔＬと同じである。したがって、ＬＥＤモジュール３０ａとＬＥＤモジュール３０ｃとに設けられた合計３２（＝２４＋８）個のＬＥＤ３１は、所定方向（発光ユニット６０Ｄの伸延方向）においていずれも均一な間隔ΔＬで配置される。これによれば、３２個の点光源が均一に配置されるので、発光ユニット６０Ｄの伸延方向における明るさの均一化を図ることが可能である。
【００８２】
また、照明装置１Ｇでは、図１３（および図２７）に示されるように、ＬＥＤモジュール３０ａに含まれる２４個のＬＥＤ３１が所定間隔ΔＬで一列に配置されるとともに、ＬＥＤモジュール３０ｂに含まれる８個のＬＥＤ３１が所定間隔ΔＬで一列に配置される。さらに、（下側の）ＬＥＤモジュール３０ｂにおいては、当該ＬＥＤモジュール３０ｂの複数のＬＥＤ３１のうち、最も上側（ＬＥＤモジュール３０ａ側）に配置されたＬＥＤ３１（上端側ＬＥＤ３１５）から、当該ＬＥＤモジュール３０ｂの上端までの間隔は、当該所定間隔ΔＬの半分（ΔＬ／２）である。ＬＥＤモジュール３０ａの下端側ＬＥＤ３１１から、当該ＬＥＤモジュール３０ａの下端までの間隔は、上記所定間隔ΔＬの半分（ΔＬ／２）であるので、両ＬＥＤモジュール３０ａ，３０ｂの境界部分で互いに隣接する２つのＬＥＤ３１１，３１５の間隔は、当該所定間隔ΔＬと同じである。したがって、ＬＥＤモジュール３０ａとＬＥＤモジュール３０ｂとに設けられた合計４０（＝２４＋１６）個のＬＥＤ３１は、所定方向（発光ユニット６０Ｇの伸延方向）においていずれも均一な間隔ΔＬで配置される。これによれば、発光ユニット６０Ｇの４０個の点光源が均一に配置されるので、発光ユニット６０Ｇの伸延方向における明るさの均一化を図ることが可能である。
【００８３】
＜５．各照明装置＞
つぎに、各照明装置１（１Ａ〜１Ｊ）の詳細構成について説明する。なお、図３４は、各照明装置１（１Ａ〜１Ｊ）に設けられるＬＥＤモジュール３０の種類（３０ａ（「大」サイズ），３０ｂ（「中」サイズ），３０ｃ（「小」サイズ））および個数等を表形式でまとめて示す図である。
【００８４】
＜照明装置１Ａ＞
図１４の上段は、既設装置９Ａの構成（内部構成）等を示す側面図であり、図１４の下段は、照明装置１Ａの構成等を示す側面図である。図１５は、照明装置１Ａの概略構成を示す図であり、照明装置１Ａを下側から見た図である。なお、図１４等においては、図示の簡略化のため、各部材の厚みを捨象して各部材が示されている。また、図１５においては、カバーユニット５０の図示を省略している。他の照明装置１に関する各図においても同様である。
【００８５】
既設装置９Ａは、１０Ｗ（ワット）の直管型の蛍光灯９０Ａを有している。また、既設装置９Ａは、当該既設装置９Ａを取付箇所（天井等）に取り付けるためのベースユニット１１Ａと、蛍光灯９０Ａを固定する蛍光灯ソケット９３Ａと、蛍光灯９０Ａを覆う半透明カバー部材１４Ａとをも有している。
【００８６】
照明装置１Ａは、既設装置９Ａ（図１４の上段）に代えて設置される照明装置である。
【００８７】
照明装置１Ａ（図１４の下段および図１５参照）が構築される際には、既設装置９Ａの蛍光灯９０Ａおよび１組の蛍光灯ソケット９３Ａ等が既設装置９のベースユニット１１Ａから取り外され、当該蛍光灯９０Ａ等の代わりに発光ユニット６０Ａが当該ベースユニット１１Ａに取り付けられる。発光ユニット６０Ａは、１個のＬＥＤモジュール３０ａとモジュールベース４０Ａとカバーユニット５０Ａとを含む。新たな照明装置１Ｂの発光ユニット６０Ａは、既設装置９Ａの蛍光灯９０Ａと同等以上の明るさを有している。
【００８８】
モジュールベース４０Ａの長さは、ＬＥＤモジュール３０ａの長さよりも大きく、ベースユニット１１Ａの長さよりも小さい。モジュールベース４０Ａがベースユニット１１Ａに対して（ネジ（タッピングビス等）および／または接着剤等で）固定されることによって、発光ユニット６０Ａ（ＬＥＤモジュール３０を含む）がベースユニット１１Ａに固定される。また、既設装置９Ａの外観構成要素（半透明カバー部材１４Ａ、ベースユニット１１Ａ）を利用して、照明装置１Ａの外観構成要素が構成される。特に、既設装置９Ａの半透明カバー部材１４Ａおよびベースユニット１１Ａが、照明装置１Ａにおいても利用される。
【００８９】
＜照明装置１Ｂ＞
図１６の上段は、既設装置９Ｂの構成等を示す側面図であり、図１６の下段は、照明装置１Ｂの構成等を示す側面図である。図１７は、照明装置１Ｂの概略構成を示す図であり、当該照明装置１Ｂを下側から見た図である。
【００９０】
既設装置９Ｂは、４０Ｗ（ワット）の直管型の蛍光灯９０Ｂを有している。また、既設装置９Ｂは、ベースユニット１１Ｂと反射板１２Ｂと蛍光灯ソケット９３Ｂとをも備えている。
【００９１】
照明装置１Ｂは、既設装置９Ｂ（図１６の上段）に代えて設置される照明装置である。
【００９２】
照明装置１Ｂ（図１６の下段および図１７参照）が構築される際には、既設装置９Ｂの１本の蛍光灯９０Ｂおよび１組の蛍光灯ソケット９３Ｂ等が既設装置９（詳細にはベースユニット１１Ｂ等）から取り外され、当該１本の蛍光灯９０Ｂ等の代わりに１個の発光ユニット６０Ｂが、既設装置９Ｂで使われていた反射板１２Ｂに取り付けられる。発光ユニット６０Ｂは、３個のＬＥＤモジュール３０ａとモジュールベース４０Ｂとカバーユニット５０Ｂとを含む。照明装置１Ｂの発光ユニット６０Ｂは、既設装置９Ｂの蛍光灯９０Ｂと同等以上の明るさを有している。モジュールベース４０Ｂの長さは、３個のＬＥＤモジュール３０ａの合計長さよりも大きく、ベースユニット１１Ｂの長さよりも小さい。モジュールベース４０Ｂ（発光ユニット６０Ｂ）は、蛍光灯９０Ｂと同等の長さを有している。モジュールベース４０Ｂが反射板１２Ｂに対して（ネジおよび／または接着剤等で）固定され且つ反射板１２Ｂがベースユニット１１Ｂに対して固定されることによって、発光ユニット６０Ｂがベースユニット１１Ｂおよび反射板１２Ｂに取り付けられる。
【００９３】
また、照明装置１Ｂの発光ユニット６０Ｂ（図１７参照）は、３個のＬＥＤモジュール３０ａがそれぞれの長手方向を所定方向に沿わせて直列的に配置されることによって、構成される。３個の基本モジュール３０ａを組み合わせることによって、蛍光灯９０Ｂと同等以上の明るさを有する照明光源を構築することができるので、適切な明るさを有する発光ユニット６０を効率的に構築することが可能である。
【００９４】
さらに、また、既設装置９Ｂの外観構成要素（ベースユニット１１Ｂおよび反射板１２Ｂ等）を利用して、照明装置１Ｂの外観構成要素が構成される。
【００９５】
なお、ここでは、発光ユニット６０Ｂが反射板１２Ｂに対して固定されているが、これに限定されず、発光ユニット６０Ｂがベースユニット１１Ｂに対して固定されてもよい。たとえば、既設装置９Ｂにて、ベースユニット１１Ｂの下面の左右両側に各１枚ずつ（合計２枚）の反射板１２が取り付けられている場合（反射板１２がベースユニット１１Ｂの左右に分離されて設けられている場合）等においては、反射板１２に対してではなくベースユニット１１に対して発光ユニット６０Ｂが固定されること等によって照明装置１Ｂが構成されてもよい。他の新たな照明装置１についても同様である。
【００９６】
＜照明装置１Ｃ＞
図１８の上段は、既設装置９Ｃの構成等を示す側面図であり、図１８の下段は、照明装置１Ｃの構成等を示す側面図である。図１９は、照明装置１Ｃの概略構成を示す図であり、当該照明装置１Ｃを下側から見た図である。
【００９７】
既設装置９Ｃは、２本の４０Ｗ（ワット）の直管型の蛍光灯９０Ｃを有している。また、既設装置９Ｃは、ベースユニット１１Ｃと反射板１２Ｃと２組の蛍光灯ソケット９３Ｃとをも備えている。
【００９８】
照明装置１Ｃは、既設装置９Ｃ（図１８の上段）に代えて設置される照明装置である。
【００９９】
照明装置１Ｃ（図１８の下段および図１９参照）が構築される際には、既設装置９Ｃの２本の蛍光灯９０Ｃおよび２組の蛍光灯ソケット９３Ｃ等が既設装置９（詳細にはベースユニット１１Ｃ等）から取り外され、当該２本の蛍光灯９０Ｃ等の代わりに２個の発光ユニット６０Ｃが反射板１２Ｃに取り付けられる。当該２個の発光ユニット６０Ｃは、２列に（並列的に）配置される。各発光ユニット６０Ｃは、３個のＬＥＤモジュール３０ａとモジュールベース４０Ｃとカバーユニット５０Ｃとをそれぞれ含む。各発光ユニット６０Ｃは、各蛍光灯９０Ｃと同等以上の明るさを有している。
【０１００】
各モジュールベース４０Ｃの長さは、モジュールベース４０Ｂの長さと同じである。各モジュールベース４０Ｃは、３個のＬＥＤモジュール３０ａの合計長さよりも長く、ベースユニット１１Ｃよりも短い。２つのモジュールベース４０Ｃが反射板１２Ｃに対して（ネジおよび／または接着剤等で）固定され且つ反射板１２Ｃがベースユニット１１Ｃに対して固定されることによって、２つの発光ユニット６０Ｃがベースユニット１１Ｃおよび反射板１２Ｃに固定される。また、既設装置９Ｃの外観構成要素（ベースユニット１１Ｃおよび反射板１２Ｃ等）を利用して、照明装置１Ｃの外観構成要素が構成される。
【０１０１】
＜照明装置１Ｄ＞
図２０の上段は、既設装置９Ｄの構成（内部構成）等を示す側面図であり、図２０の下段は、照明装置１Ｄの構成等を示す側面図である。図２１は、照明装置１Ｄの概略構成を示す図であり、当該照明装置１Ｄを上側から見た図である。なお、照明装置１Ｄは、天井面を照明する間接照明用の照明装置である。
【０１０２】
既設装置９Ｄは、１本の１５Ｗ（ワット）の直管型の蛍光灯９０Ｄを有している。また、既設装置９Ｄは、ベースユニット１１Ｄと反射板１２Ｄと１組の蛍光灯ソケット９３Ｄとをも備えている。
【０１０３】
照明装置１Ｄは、既設装置９Ｄ（図２０の上段）に代えて設置される照明装置である。
【０１０４】
照明装置１Ｄ（図２０の下段および図２１参照）が構築される際には、既設装置９Ｄの１本の蛍光灯９０Ｄおよび１組の蛍光灯ソケット９３Ｄ等が既設装置９Ｄ（詳細にはベースユニット１１Ｄ等）から取り外され、当該１本の蛍光灯９０Ｄ等の代わりに１個の発光ユニット６０Ｄがベースユニット１１Ｄに取り付けられる。発光ユニット６０Ｄは、１個のＬＥＤモジュール３０ａと１個のＬＥＤモジュール３０ｃとモジュールベース４０Ｄとカバーユニット５０Ｄとを含む。発光ユニット６０Ｄは、蛍光灯９０Ｄと同等以上の明るさを有している。
【０１０５】
モジュールベース４０Ｄは、１個のＬＥＤモジュール３０ａと１個のＬＥＤモジュール３０ｃとの合計長さよりも長く、ベースユニット１１Ｄよりも短い。モジュールベース４０Ｄが反射板１２Ｄに対して（ネジおよび／または接着剤等で）固定され且つ反射板１２Ｄがベースユニット１１Ｄに対して固定されることによって、発光ユニット６０Ｄがベースユニット１１Ｄおよび反射板１２Ｄに固定される。また、既設装置９Ｄの外観構成要素（ベースユニット１１Ｄ等）を利用して、照明装置１Ｄの外観構成要素が構成される。
【０１０６】
なお、ここでは、既設装置９Ｄおよび照明装置１Ｄが、上方（天井等）に光を照射しその照射面からの反射光で照明する間接照明用の照明装置であるとして説明しているが、これに限定されない。たとえば、既設装置９Ｄが、既設装置９Ａ〜９Ｃ等と同様に、下方に向けて（人および床に向けて）直接光を照射して下方を照明する直接照明用の照明装置である場合に本発明を適用してもよい。
【０１０７】
＜照明装置１Ｅ＞
図２２の上段は、既設装置９Ｅの構成等を示す側面図であり、図２２の下段は、照明装置１Ｅの構成等を示す側面図である。図２３は、照明装置１Ｅの概略構成を示す図であり、当該照明装置１Ｅを下側から見た図である。
【０１０８】
既設装置９Ｅは、２本の２０Ｗ（ワット）の直管型の蛍光灯９０Ｅを有している。また、既設装置９Ｅは、ベースユニット１１Ｅと反射板１２Ｅと２組の蛍光灯ソケット９３Ｅとをも備えている。
【０１０９】
照明装置１Ｅは、既設装置９Ｅ（図２２の上段）に代えて設置される照明装置である。
【０１１０】
照明装置１Ｅ（図２２の下段および図２３参照）が構築される際には、既設装置９Ｅの２本の蛍光灯９０Ｅおよび２組の蛍光灯ソケット９３Ｅ等が既設装置９Ｅ（詳細には反射板１２Ｅ等）から取り外され、２本の蛍光灯９０Ｅ等の代わりに２個の発光ユニット６０Ｅが反射板１２Ｅに取り付けられる。当該２個の発光ユニット６０Ｅは、２列に（並列的に）配置される。各発光ユニット６０Ｅは、１個のＬＥＤモジュール３０ａと１個のＬＥＤモジュール３０ｃとモジュールベース４０Ｅとカバーユニット５０Ｅとをそれぞれ含む。各発光ユニット６０Ｅは、各蛍光灯９０Ｅと同等以上の明るさを有している。
【０１１１】
各モジュールベース４０Ｅの長さは、モジュールベース４０Ｄの長さと同じである。各モジュールベース４０Ｅの長さは、１個のＬＥＤモジュール３０ａと１個のＬＥＤモジュール３０ｃとの合計長さよりも大きく、ベースユニット１１Ｅの長さよりも小さい。２個のモジュールベース４０Ｅが反射板１２Ｅに対して（ネジおよび／または接着剤等で）固定され且つ反射板１２Ｅがベースユニット１１Ｅに対して固定されることによって、２個の発光ユニット６０Ｅがベースユニット１１Ｅおよび反射板１２Ｅに固定される。また、既設装置９Ｅの外観構成要素（ベースユニット１１Ｅおよび反射板１２Ｅ等）を利用して、照明装置１Ｅの外観構成要素が構成される。
【０１１２】
＜照明装置１Ｆ＞
図２４の上段は、既設装置９Ｆの構成（内部構成）等を示す側面図であり、図２４の下段は、照明装置１Ｆの構成等を示す側面図である。図２５は、照明装置１Ｆの概略構成を示す図であり、当該照明装置１Ｆを下側から見た図である。なお、図２５では、図示の都合上、半透明カバー部材１４Ｆを外した状態が示されている。
【０１１３】
既設装置９Ｆは、４本の２０Ｗ（ワット）の直管型の蛍光灯９０Ｆを有している。また、既設装置９Ｆは、ベースユニット１１Ｆと４組の蛍光灯ソケット９３Ｆと枠部材１５Ｆと半透明カバー（半透明パネルとも称する）１４Ｆとをも備えている。
【０１１４】
照明装置１Ｆは、既設装置９Ｆ（図２４の上段）に代えて設置される照明装置である。
【０１１５】
照明装置１Ｆ（図２４の下段および図２５参照）が構築される際には、既設装置９Ｆの４本の蛍光灯９０Ｆおよび４組の蛍光灯ソケット９３Ｆ等が既設装置９Ｆ（詳細にはベースユニット１１Ｆ等）から取り外され、当該４本の蛍光灯９０Ｆ等の代わりに４個の発光ユニット６０Ｆがベースユニット１１Ｆに取り付けられる。当該４個の発光ユニット６０Ｆは、４列に（並列的に）配置される。各発光ユニット６０Ｆは、１個のＬＥＤモジュール３０ａと１個のＬＥＤモジュール３０ｃとモジュールベース４０Ｆとカバーユニット５０Ｆとを含む。各発光ユニット６０Ｆは、各蛍光灯９０Ｆと同等以上の明るさを有している。
【０１１６】
各モジュールベース４０Ｆの長さは、モジュールベース４０Ｄ（，４０Ｅ）の長さと同じである。各モジュールベース４０Ｆの長さは、１個のＬＥＤモジュール３０ａと１個のＬＥＤモジュール３０ｃとの合計長さよりも大きく、モジュールベース４０Ｆの伸長方向におけるベースユニット１１Ｆの長さよりも小さい。４個のモジュールベース４０Ｆがベースユニット１１Ｆに対して固定されることによって、４個の発光ユニット６０Ｆがベースユニット１１Ｆに固定される。また、既設装置９Ｆの外観構成要素（ベースユニット１１Ｆ、枠部材１５Ｆ、半透明カバー部材１４Ｆ等）を利用して、照明装置１Ｆの外観構成要素が構成される。
【０１１７】
＜照明装置１Ｇ＞
図２６の上段は、既設装置９Ｇ（図２も参照）の構成（内部構成）等を示す側面図であり、図２６の下段は、照明装置１Ｇの構成等を示す側面図である。図２７は、照明装置１Ｇの概略構成を示す図であり、当該照明装置１Ｇを下側から見た図である。なお、図２７では、図示の都合上、半透明カバー部材１４Ｇを外した状態が示されている。
【０１１８】
既設装置９Ｇは、４本の２０Ｗ（ワット）の直管型の蛍光灯９０Ｇを有している。また、既設装置９Ｇは、ベースユニット１１Ｇと４組の蛍光灯ソケット９３Ｇと枠部材１５Ｇと半透明カバー部材１４Ｇとをも備えている（図３６も参照）。
【０１１９】
照明装置１Ｇは、既設装置９Ｇ（図２６の上段）に代えて設置される照明装置である。
【０１２０】
照明装置１Ｇ（図２６の下段および図２７参照）が構築される際には、既設装置９Ｇの４本の蛍光灯９０Ｇおよび４組の蛍光灯ソケット９３Ｇ等が既設装置９Ｇ（詳細にはベースユニット１１Ｇ等）から取り外され、当該４本の蛍光灯９０Ｇ等の代わりに４個の発光ユニット６０Ｇがベースユニット１１Ｇに取り付けられる。当該４個の発光ユニット６０Ｇは、４列に（並列的に）配置される。各発光ユニット６０Ｇは、１個のＬＥＤモジュール３０ａ（大サイズモジュール）と１個のＬＥＤモジュール３０ｂ（中サイズモジュール）とモジュールベース４０Ｇとカバーユニット５０Ｇとを含む。各発光ユニット６０Ｇは、各蛍光灯９０Ｇと同等以上の明るさを有している。
【０１２１】
既設装置９Ｇの所定方向（図中における縦方向）の長さは、既設装置９Ｆの所定方向（図中における縦方向）の長さよりも大きいことに対応して、照明装置１Ｇの各モジュールベース４０Ｇ（図２７参照）の長さは、モジュールベース４０Ｆ（図２５参照）の長さよりも大きい。また、照明装置１Ｇにおいては、照明装置１Ｆとは異なり、ＬＥＤモジュール３０ｃに代えてＬＥＤモジュール３０ｂが採用されている。
【０１２２】
また、各モジュールベース４０Ｇの長さは、１個のＬＥＤモジュール３０ａと１個の（中サイズの）ＬＥＤモジュール３０ｂとの合計長さよりも大きく、モジュールベース４０Ｇの伸長方向におけるベースユニット１１Ｇの長さよりも小さい。４個のモジュールベース４０Ｇがベースユニット１１Ｇに対して固定されることによって、４個の発光ユニット６０Ｇがベースユニット１１Ｇに固定される。また、既設装置９Ｇの外観構成要素（ベースユニット１１Ｇ、枠部材１５Ｇ、半透明カバー部材１４Ｇ等）を利用して、照明装置１Ｇの外観構成要素が構成される。
【０１２３】
＜照明装置１Ｈ＞
図２８の上段は、既設装置９Ｈの構成（内部構成）等を示す側面図であり、図２８の下段は、照明装置１Ｈの構成等を示す側面図である。図２９は、照明装置１Ｈの概略構成を示す図であり、当該照明装置１Ｈを下側から見た図である。なお、図２９では、図示の都合上、半透明カバー部材１４Ｈを外した状態が示されている。また、図２９では、大きさの対比のため、実際には設けられていない蛍光灯９０Ｈ（２点鎖線参照）が仮想的に示されている。
【０１２４】
既設装置９Ｈは、４０Ｗ（ワット）の丸型の蛍光灯９０Ｈを有している。また、既設装置９Ｈは、ベースユニット１１Ｈと蛍光灯固定用モジュール９３Ｈ（給電部を含む）と枠部材１５Ｈと半透明カバー部材１４Ｈとをも備えている。
【０１２５】
照明装置１Ｈは、既設装置９Ｈ（図２８の上段）に代えて設置される照明装置である。
【０１２６】
照明装置１Ｈ（図２８の下段および図２９参照）が構築される際には、既設装置９Ｈの１個の丸形蛍光灯９０Ｈおよび蛍光灯固定用モジュール９３Ｈ等が既設装置９Ｈ（詳細にはベースユニット１１Ｈ等）から取り外され、蛍光灯９０Ｈ等の代わりに４個の発光ユニット６０Ｈがベースユニット１１Ｈに取り付けられる。当該４個の発光ユニット６０Ｈは、４列に（並列的に）配置される。各発光ユニット６０Ｈは、照明装置１Ａの発光ユニット６０Ａ（図１５参照）と同様の構成を有する。具体的には、各発光ユニット６０Ｈは、１個のＬＥＤモジュール３０ａ（大サイズモジュール）と１個のＬＥＤモジュール３０ｃ（小サイズモジュール）とモジュールベース４０Ｈとカバーユニット５０Ｈとを含む。４個の発光ユニット６０Ｈは、蛍光灯９０Ｈと同等以上の明るさを実現できる。
【０１２７】
各モジュールベース４０Ｈの長さは、１個のＬＥＤモジュール３０ａの長さよりも大きく、モジュールベース４０Ｈの伸長方向におけるベースユニット１１Ｈの長さよりも小さい。４個のモジュールベース４０Ｈがベースユニット１１Ｈに対して固定されることによって、４個の発光ユニット６０Ｈがベースユニット１１Ｈに固定される。また、既設装置９Ｈの外観構成要素（ベースユニット１１Ｈ、枠部材１５Ｈ、半透明カバー部材１４Ｈ等）を利用して、照明装置１Ｈの外観構成要素が構成される。
【０１２８】
＜照明装置１Ｉ＞
図３０の上段は、既設装置９Ｉの構成（内部構成）等を示す側面図であり、図３０の下段は、照明装置１Ｉの構成等を示す側面図である。図３１は、照明装置１Ｉの概略構成を示す図であり、当該照明装置１Ｉを下側から見た図である。なお、図３１では、図示の都合上、半透明カバー部材１４Ｉを外した状態が示されている。また、図３１では、大きさの対比のため、実際には設けられていない蛍光灯９０Ｉ（２点鎖線参照）が仮想的に示されている。
【０１２９】
既設装置９Ｉは、３０Ｗ（ワット）の丸型の蛍光灯９０Ｉを有している。既設装置９Ｉは、ベースユニット１１Ｉと蛍光灯固定用モジュール９３Ｉ（給電部を含む）と枠部材１５Ｉと半透明カバー部材１４Ｉとをも備えている。
【０１３０】
照明装置１Ｉは、既設装置９Ｉ（図３０の上段）に代えて設置される照明装置である。
【０１３１】
照明装置１Ｉ（図３０の下段および図３１参照）が構築される際には、既設装置９Ｉの１個の丸形蛍光灯９０Ｉおよび蛍光灯固定用モジュール９３Ｉ等が既設装置９Ｉ（詳細にはベースユニット１１Ｉ等）から取り外され、蛍光灯９０Ｉ等の代わりに４個の発光ユニット６０Ｉがベースユニット１１Ｉに取り付けられる。当該４個の発光ユニット６０Ｉは、４列に（並列的に）配列される。各発光ユニット６０Ｉは、１個のＬＥＤモジュール３０ｂ（中サイズモジュール）とモジュールベース４０Ｉとカバーユニット５０Ｉとを含む。４個の発光ユニット６０Ｉは、蛍光灯９０Ｉと同等以上の明るさを実現できる。
【０１３２】
各モジュールベース４０Ｉの長さは、１個のＬＥＤモジュール３０ｂの長さよりも大きく、モジュールベース４０Ｉの伸長方向におけるベースユニット１１Ｉの長さよりも小さい。４個のモジュールベース４０Ｉがベースユニット１１Ｉに対して固定されることによって、４個の発光ユニット６０Ｉがベースユニット１１Ｉに固定される。また、既設装置９Ｉの外観構成要素（ベースユニット１１Ｉ、枠部材１５Ｉ、半透明カバー部材１４Ｉ等）を利用して、照明装置１Ｉの外観構成要素が構成される。
【０１３３】
＜照明装置１Ｊ＞
図３２の上段は、既設装置９Ｊの構成（内部構成）等を示す側面図であり、図３２の下段は、照明装置１Ｊの構成等を示す側面図である。図３３は、照明装置１Ｊの概略構成を示す図であり、当該照明装置１Ｊを下側から見た図である。なお、図３３では、図示の都合上、半透明カバー部材１４Ｊを外した状態が示されている。また、図３３では、大きさの対比のため、実際には設けられていない３個の蛍光灯９０Ｊ（２点鎖線参照）が仮想的に示されている。
【０１３４】
既設装置９Ｊは、３個の３０Ｗ（ワット）の丸型の蛍光灯９０Ｊを有している。既設装置９Ｊは、ベースユニット１１Ｊと３個の蛍光灯固定用モジュール９３Ｊ（給電部を含む）と枠部材１５Ｊと半透明カバー部材１４Ｊとをも備えている。
【０１３５】
照明装置１Ｊ（図３２の下段）は、既設装置９Ｊ（図３２の上段）に代えて設置される照明装置である。
【０１３６】
照明装置１Ｊ（図３２の下段および図３３参照）が構築される際には、既設装置９Ｊの３個の蛍光灯９０Ｊおよび３個の蛍光灯固定用モジュール９３Ｊ等が既設装置９Ｊ（詳細にはベースユニット１１Ｊ等）から取り外され、３個の蛍光灯９０Ｊ等の代わりに、２個の発光ユニット６０Ｊａと２個の発光ユニット６０Ｊｂと４個の発光ユニット６０Ｊｃとがベースユニット１１Ｊに取り付けられる。
【０１３７】
各発光ユニット６０Ｊａは、１個のＬＥＤモジュール３０ａ（大サイズモジュール）とモジュールベース４０Ｊａとカバーユニット５０Ｊａとを含む。各発光ユニット６０Ｊｂは、１個のＬＥＤモジュール３０ｂ（中サイズモジュール）とモジュールベース４０Ｊｂとカバーユニット５０Ｊｂとを含む。各発光ユニット６０Ｊｃは、１個のＬＥＤモジュール３０ｃ（小サイズモジュール）とモジュールベース４０Ｊｃとカバーユニット５０Ｊｃとを含む。これら合計８個の発光ユニット６０Ｊ（６０Ｊａ，６０Ｊｂ，６０Ｊｃ）は、３個の蛍光灯９０Ｊと同等以上の明るさを実現できる。
【０１３８】
合計８個の発光ユニット６０は、略円形状のベースユニット１１Ｊの表面をなるべく均一に埋めるように配置される。具体的には、合計８個の発光ユニット６０は、略円形状の照明装置１Ｊの中心を通る直線ＣＬに対して線対称に配置される。２個の発光ユニット６０Ｊａは直線ＣＬに対して線対称に配置され、２個の発光ユニット６０Ｊｂも直線ＣＬに対して線対称に配置される。これら６個の発光ユニット６０Ｊは、等間隔で６列に配置さえる。また、２個の発光ユニット６０Ｊｃがさらに設けられ、合計４個の発光ユニット６０Ｊｃは、当該中心Ｃに対して点対称配置される。特に、４個の発光ユニット６０Ｊｃのうち、２個の発光ユニット６０Ｊｃは直線ＣＬに対して線対称に且つ直線ＣＬに対して平行に配置される。
【０１３９】
また、略円形形状を有するベースユニット１１のうちの半円領域において、大、中、小の３種類のサイズのＬＥＤモジュール３０を用いることによって、当該半円領域において円の中心からの距離が互いに異なる３つの位置に、互いに異なる長さのＬＥＤモジュール３０ａ，３０ｂ，３０ｃがそれぞれ配置されている。３種類のサイズのＬＥＤモジュール３０を用いることによれば、２種類のサイズのＬＥＤモジュール３０のみを用いる場合に比べて、より少ない個数のＬＥＤモジュール３０で、同等の明るさを有し且つなるべく均等配置された発光部を形成することが可能である。
【０１４０】
また、既設装置９Ｊの外観構成要素（ベースユニット１１Ｊ、枠部材１５Ｊ、半透明カバー部材１４Ｊ等）を利用して、照明装置１Ｊの外観構成要素が構成される。
【０１４１】
＜６．各照明装置１の製造方法等＞
たとえば、照明装置１Ｂは、次のようにして製造され設置される。
【０１４２】
まず、リプレース対象の既設装置９Ｂの大きさに応じた発光ユニット６０Ｂ（ＬＥＤモジュール３０Ｂおよびモジュールベース４０Ｂ等を含む）が、予め製造される。
【０１４３】
具体的には、複数の種類且つ複数本のＬＥＤモジュール３０ａ，３０ｂ，３０ｃが予め製造されており、当該複数の種類のＬＥＤモジュール３０ａ，３０ｂ，３０ｃの中から、発光ユニット６０Ｂを構成するためのＬＥＤモジュールの種類と本数（種類ごとの本数）とが、既設装置９の大きさ等に基づいて決定される。詳細には、発光ユニット６０Ｂを構成するためのＬＥＤモジュールとして、既設装置９Ｂ（詳細には反射板１２）の長さに基づき、３本のＬＥＤモジュール３０ａが決定される。
【０１４４】
また、既設装置９Ｂの反射板１２の大きさに応じた長さを有するモジュールベース４０が、非常に長い長尺状部材から切り出される。そして、当該モジュールベース４０に対して３本のＬＥＤモジュール３０ａが固定される。この際、３本のＬＥＤモジュール３０ａのうち中央のＬＥＤモジュール３０ａと上側のＬＥＤモジュール３０ａとが電気的に接続され、当該中央のＬＥＤモジュール３０ａと下側（反対側）のＬＥＤモジュール３０ａとが電気的に接続される。また、ＤＣ電源７０との接続ケーブルが端子３３，３４にハンダ付けされる。さらに、カバーユニット５０（カバー５１および端側部材５２等）がモジュールベース４０に対して固定される。このようにして、発光ユニット６０Ｂが形成される。
【０１４５】
次に、リプレース対象の既設装置９Ｂが設置場所から取り外される。この際、蛍光灯９０Ｂが既設装置９から取り外される。なお、既設装置９Ｂからの蛍光灯９０Ｂの取り外しは、設置場所からの既設装置９の取り外し前などに行われることが好ましい。
【０１４６】
また、既設装置９から、蛍光灯固定用モジュール（あるいは蛍光灯ソケット）９３Ｂ、安定器９４Ｂおよびそれに付随する配線等が更に取り外される。
【０１４７】
そして、既設装置９Ｂの電気部品（蛍光灯ソケット９３Ｂ等）に代えて、照明装置１Ｂの電気部品等がベースユニット１１Ｂ等に装着される。具体的には、新たな照明装置１用のＤＣ電源７０Ｂ、端子台７５Ｂおよびそれに付随する配線等が、ベースユニット１１Ｂに対して取り付けられる。なお、この時点では、ベースユニット１１Ｂは設置場所から取り外されており、反射板１２Ｂはベースユニット１１Ｂから取り外されているものとする。
【０１４８】
その後、ベースユニット１１Ｂが再び設置場所（既設装置９の設置場所と同じ設置場所等）に設置される。
【０１４９】
さらに、既設装置９の大きさに合わせた新たな照明装置１の発光ユニット６０Ｂ（ＬＥＤモジュール３０Ｂおよびモジュールベース４０Ｂ等を含む）が、反射板１２Ｂに取り付けられる。そして、反射板１２Ｂがベースユニット１１Ｂに再び固定される。この際、発光ユニット６０のＬＥＤモジュール３０（たとえば、ＤＣ電源７０に最も近い側のＬＥＤモジュール３０ａ）の端子３３，３４に接続されている接続ケーブルを用いて、発光ユニット６０ＢとＤＣ電源７０Ｂとが（電気的に）接続される。
【０１５０】
このようにして、照明装置１Ｂが製造され設置される。
【０１５１】
他の照明装置１も同様にして製造され設置される。なお、発光ユニット６０が反射板１２ではなくベースユニット１１に取り付けられる場合にも、ベースユニット１１が設置場所から取り外されている状態で、発光ユニット６０がベースユニット１１に対して取り付けられることが好ましい。
【０１５２】
＜７．実施形態における効果等＞
上述のように、上記実施形態の各照明装置１（１Ａ〜１Ｊ）は、各既設装置９（９Ａ〜９Ｊ）の一部（具体的には、ベースユニット１１および／または反射板１２等）を利用して構成されるので、部品の再利用による効果（コスト低減効果、および／または廃棄部品の削減効果等）を得ることができる。
【０１５３】
また、各照明装置１（１Ａ〜１Ｊ）の発光ユニット（発光部）６０（６０Ａ〜６０Ｊ）は、それぞれ、複数の種類の発光素子モジュール３０ａ，３０ｂ，３０ｃ（互いに異なる長さを有し且つ互いに異なる個数の発光素子を有する）のうちの少なくとも１つの種類の発光素子モジュールで構成される１又は複数の発光素子モジュールを、既設装置９のベースユニット１１と既設装置９の反射板１２との少なくとも一方に配置すること（取り付けること）によって、形成される。端的に言えば、リプレース対象の既設装置９のベースユニット１１等の大きさに応じた組合せに係る少なくとも１つの種類の発光素子モジュールが、複数の照明装置１Ａ〜１Ｊに対して共通に予め準備された３種類の発光素子モジュール３０ａ，３０ｂ，３０ｃの中から選択され決定される。換言すれば、既設装置９の大きさに応じた組合せに係る１又は複数の発光素子モジュールが決定される。そして、当該少なくとも１つの種類の発光素子モジュールで構成される当該１又は複数の発光素子モジュールを用いて、リプレース後の照明装置１における新たな発光部が形成される。
【０１５４】
これによれば、各既設装置９の大きさに応じて新たな発光部を逐一設計する場合に比べて、既設装置９のサイズに応じた新たな照明装置１を効率的に構築することが可能である。特に、複数の既設装置９を複数の新たな照明装置１に変更する場合、当該複数の新たな照明装置１を効率的に構築することが可能である。
【０１５５】
より詳細には、大、中、小の３種類のサイズのＬＥＤモジュール３０のうちの少なくとも１種類のＬＥＤモジュール３０を用いることによって、様々なサイズの照明装置１が効率的に形成される。
【０１５６】
たとえば、直管型蛍光灯を有する長尺状の既設装置９（９Ａ〜９Ｅ）に関しては、その発光素子の個数とその長手方向の長さとが互いに異なる３種類のＬＥＤモジュール３０ａ，３０ｂ，３０ｃのうち、当該直管型蛍光灯の長手方向の長さと同程度の長さを有し且つ当該直管型蛍光灯の明るさと同程度以上の明るさを有するような組合せに係る少なくとも１つ種類のＬＥＤモジュール３０を用いて、新たな照明装置１の発光部が形成される。詳細には、約４１０ｍｍ〜約１２５０ｍｍの様々な長さを有する直管型蛍光灯（特に、その採用頻度が高い長さを有する直管型蛍光灯（１０Ｗ（ワット）型，１５Ｗ型，２０Ｗ型，４０Ｗ型））を用いた各既設装置９に対応する新たな照明装置１を、３種類のサイズのＬＥＤモジュール３０ａ，３０ｂ，３０ｃのいずれか１つ以上を用いることによって構成することが可能である。換言すれば、予め準備しておくＬＥＤモジュール３０の種類数を一定程度（ここでは３種類）に抑えた上で、様々なサイズの既設装置９を、それぞれ同等の大きさ（様々な大きさ）を有する新たな照明装置１にリプレースすることが可能である。また、各既設装置９を、当該各既設装置９と同等以上の明るさを有する新たな照明装置１にリプレースすることも可能である。
【０１５７】
具体的には、４０Ｗの直管型蛍光灯９０（９０Ｂ，９０Ｃ等）と蛍光灯ソケット９３（９３Ｂ，９３Ｃ等）とを用いた蛍光灯式発光部（長さ約１２３０ｍｍ）は、３種類のＬＥＤモジュール３０ａ，３０ｂ，３０ｃのうち、一の種類のＬＥＤモジュール３０ａ（長さ約４０８ｍｍ）を３個直列的に配置して形成される新たな発光部（発光ユニット６０Ｂ，６０Ｃ等）によって置き換えられる。発光ユニット６０Ｂは、４０Ｗの直管型蛍光灯９０Ｂと同等以上の明るさを有する。
【０１５８】
また、１０Ｗ（あるいは１５Ｗ）の直管型蛍光灯９０（９０Ａ等）と蛍光灯ソケット９３（９３Ａ等）とを用いた蛍光灯式発光部（長さ約３５０ｍｍ〜約４６０ｍｍ）は、３種類のＬＥＤモジュール３０ａ，３０ｂ，３０ｃのうち、一の種類のＬＥＤモジュール３０ａ（長さ約４０８ｍｍ）を１個配置して形成される新たな発光部（発光ユニット６０Ａ等）によって置き換えられる。
【０１５９】
なお、ＬＥＤモジュール３０ａの長さは、次のようにして定められている。まず、ここでは、一定程度以上の採用頻度を有する直管型蛍光灯（１０Ｗ（ワット）型，１５Ｗ型，２０Ｗ型，４０Ｗ型）を有する既設装置９が主なリプレース対象装置として設置されている。そして、ＬＥＤモジュール３０ａの長さは、当該主なリプレース対象の様々な既設装置９のうち、最も短いサイズの既設装置９Ａ（１０Ｗの直管型蛍光灯を用いた照明装置）の長さと、最も長いサイズの既設装置９Ｂ（４０Ｗの直管型蛍光灯を用いた照明装置）の長さとに基づいて、定められている。具体的には、ＬＥＤモジュール３０ａの長さ（約４０８ｍｍ）は、最短サイズの既設装置９Ａの長さ（約４３０ｍｍ）よりも小さく、且つ、整数倍（Ｎ倍；ここではＮ＝３）すると既設装置９Ｂと同程度の長さ（約１２４０ｍｍ）（換言すれば、４０Ｗの直管型蛍光灯９０と同程度の長さ（約１２３０ｍｍ））になるように、定められている。値Ｎは、なるべく小さな値になるように定められることが好ましく、ここでは、Ｎ＝３である。より詳細には、ＬＥＤモジュール３０ａの長さ（約４０８ｍｍ）は、４０Ｗの直管型蛍光灯９０の長さ（約１２３０ｍｍ）のちょうど１／３（約４１０ｍｍ）よりも若干（約２ｍｍ）短く設定されている。
【０１６０】
また、１５Ｗ（あるいは２０Ｗ）の直管型蛍光灯９０（９０Ｄ，９０Ｅ等）と蛍光灯ソケット９３（９３Ｄ，９３Ｅ等）とを用いた蛍光灯式発光部（長さ約４６０ｍｍ〜約６００ｍｍ）は、３種類のＬＥＤモジュール３０ａ，３０ｂ，３０ｃのうち、ＬＥＤモジュール３０ａ（長さ約４０８ｍｍ）とＬＥＤモジュール３０ｃ（長さ約１３５ｍｍ）との２種類のＬＥＤモジュールを１個ずつ当該長手方向に直列的に配置して形成される新たな発光部（発光ユニット６０Ｄ，６０Ｅ等）によって置き換えられる。発光ユニット６０Ｄは、１５Ｗの直管型蛍光灯９０Ａと同等以上の明るさを有する。
【０１６１】
なお、上記実施形態では例示されていないが、２０Ｗの直管型蛍光灯９０と蛍光灯ソケット９３とを用いた蛍光灯式発光部（長さ約６００ｍｍ）は、３種類のＬＥＤモジュール３０ａ，３０ｂ，３０ｃのうち、ＬＥＤモジュール３０ａ（長さ約４０８ｍｍ）とＬＥＤモジュール３０ｂ（長さ約２７１ｍｍ）との２種類のＬＥＤモジュールを１個ずつ当該長手方向に直列的に配置して形成される新たな発光部によって置き換えられてもよい。
【０１６２】
このように、３つの種類のＬＥＤモジュール３０ａ，３０ｂ，３０ｃを適宜組み合わせて利用することによって、直管型蛍光灯を有する様々なサイズの矩形形状の既設装置９（９Ａ〜９Ｅ）を新たな照明装置１（１Ａ〜１Ｅ）に置き換えることが可能である。特に、互いに異なる長さの蛍光灯９０（９０Ａ，９０Ｂ，９０Ｄ）を有する既設装置９（９Ａ，９Ｂ，９Ｄ）を、新たな照明装置１（１Ａ，１Ｂ，１Ｄ）に置き換えることが可能である。
【０１６３】
また、正方形形状あるいは正方形に近い矩形形状（平面視による形状）を有する既設装置９（９Ｆ，９Ｇ，９Ｈ，９Ｉ）に関しては、その一の方向において、当該一の方向における既設装置９の大きさに応じた組合せに係るＬＥＤモジュール３０が（直列的に）配置されて、１本の発光ユニット６０が構築される。また、当該一の方向に垂直な方向においては、複数本の当該発光ユニット６０が一定程度の間隔を空けて並べられて配置される。端的に言えば、既設装置９の大きさに応じた組合せに係るＬＥＤモジュール３０を用いて構成された複数本の発光ユニット６０が、並列的に配列される。
【０１６４】
たとえば、略正方形形状を有する既設装置９Ｈに関しては、ＬＥＤモジュール３０ａをそれぞれ有する４本の発光ユニット６０Ｈが４列に（並列的に）配列される。
【０１６５】
また、略正方形形状を有する既設装置９Ｉに関しては、ＬＥＤモジュール３０ｂをそれぞれ有する４個の発光ユニット６０Ｉが４列に（並列的に）配列されている。
【０１６６】
また、略正方形形状を有する既設装置９Ｆに関しては、ＬＥＤモジュール３０ａとＬＥＤモジュール３０ｃとをそれぞれ有する４個の発光ユニット６０Ｆが４列に（並列的に）配列されている。
【０１６７】
また、若干細長い矩形形状を有する既設装置９Ｇに関しては、ＬＥＤモジュール３０ａとＬＥＤモジュール３０ｂとをそれぞれ有する４個の発光ユニット６０Ｇが４列に（並列的に）配列されている。
【０１６８】
さらに、円形に近い形状（平面視による形状）を有する既設装置９（９Ｊ）に関しては、一の方向において、既設装置９の大きさ（詳細には、円の中心からの各オフセット位置における弦の長さ）に応じたＬＥＤモジュール３０が配置されて、各発光ユニット６０が構築される。また、当該一の方向に垂直な方向においては、その配置位置に応じた大きさを有する複数本の当該発光ユニット６０（６０Ｊａ，６０Ｊｂ，６０Ｊｃ）が一定程度の間隔を空けて並べられて配置される。換言すれば、平面視において略円形形状を有するベースユニット１１Ｊ内に収まるように、複数のＬＥＤモジュール３０が並列的に配置されて照明装置１の発光部が形成されている。
【０１６９】
このように、３つの種類のＬＥＤモジュール３０ａ，３０ｂ，３０ｃを適宜組み合わせて利用することによって、直管型蛍光灯を有する矩形形状の既設装置９（９Ａ〜９Ｇ）とと、丸形蛍光灯を有する矩形形状の既設装置９Ｈ，９Ｉと、丸形蛍光灯を有する円形形状の既設装置９Ｊとのいずれをも置き換えることが可能である。すなわち、様々な形状の既設装置９を３つの種類のＬＥＤモジュール３０ａ，３０ｂ，３０ｃを用いた照明装置１（１Ａ〜１Ｊ）によって置き換えることが可能である。
【０１７０】
また、特に各照明装置１（１Ｄ，１Ｅ，１Ｆ，１Ｇ，１Ｊ）の発光ユニット６０（６０Ｄ，６０Ｅ，６０Ｆ，６０Ｇ，６０Ｊ）は、それぞれ、複数の種類の発光素子モジュール３０ａ，３０ｂ，３０ｃのうちの２種類以上の発光素子モジュールを用いて構成されている（図３４等参照）。これによれば、異なるサイズ（長さ）の発光素子モジュール３０を用いることによって、より多様なサイズの照明装置を効率的に構築することが可能である。
【０１７１】
ここにおいて、比較的小さなサイズの単一種類（特定サイズ）の発光素子モジュールのみを用いて様々なサイズの発光部を構築することも可能である。たとえば、１種類の発光素子モジュール（小サイズのＬＥＤモジュール）３０ｃのみを１個あるいは複数個用いることによって、上記１０種類の各照明装置１（１Ａ〜１Ｊ）における各発光部を形成することも可能である。しかしながら、この場合、当該単一種類の発光素子モジュール３０ｃのサイズが（大サイズのＬＥＤモジュール３０ａ等に比べて）小さいため、当該単一種類の発光素子モジュール（小サイズのＬＥＤモジュール）３０ｃの合計使用個数が増大する。たとえば、照明装置１Ｄ（発光ユニット６０Ｄ）を構築するためには４つの発光素子モジュール３０ｃを利用することを要する。発光素子モジュール３０の合計使用個数が多くなると、配線接続の手間が大きくなり、製造コストが大きくなる。
【０１７２】
これに対して、上述のように互いにサイズが異なる２種類以上の発光素子モジュールを用いることによれば、各照明装置１の大きさに応じた発光部を比較的少ない個数の発光素子モジュール３０で実現することが可能である。したがって、配線接続の手間を低減すること、ひいては製造コストを低減することが可能である。
【０１７３】
さらに、上記実施形態においては、複数の種類の発光素子モジュール３０の合計使用個数（照明装置１での合計使用個数）が最も少なくなるように（換言すれば、比較的長い発光素子モジュール（最も長い発光素子モジュール３０ａ等）が優先的に使用されるように）、２種類以上（あるいは１種類）の発光素子モジュールが複数の種類の発光素子モジュール３０ａ，３０ｂ，３０ｃの中から決定される。たとえば、当該２種類以上の発光素子モジュールは、最も長いＬＥＤモジュール３０ａ（大サイズモジュール）を含み、且つ、ＬＥＤモジュール３０ｂ（中サイズモジュール）とＬＥＤモジュール３０ｃ（小サイズモジュール）との少なくとも一方をも含むように決定される。したがって、ＬＥＤモジュール３０間の接続箇所をなるべく低減し、ひいては照明装置１を容易に製造することが可能である。
【０１７４】
なお、上記実施形態では、発光ユニット６０Ｄは、大サイズのＬＥＤモジュール３０ａ（２４個のＬＥＤ３１を有するモジュール）と小サイズのＬＥＤモジュール３０ｃ（８個のＬＥＤ３１を有するモジュール）とが組み合わせられて構築されているが、これに限定されない。たとえば、発光ユニット６０Ｄは、２本の中サイズのＬＥＤモジュール３０ｂ（１６個のＬＥＤ３１を有するモジュール）が直列的に配置されて構築されてもよい。あるいは、発光ユニット６０Ｄは、小サイズのＬＥＤモジュール３０ｃが４本直列的に配置されて構築されてもよい。ただし、この場合、発光素子モジュール３０の合計使用個数が４本に増加してしまう。製造容易性等の観点からは、上記実施形態等のように比較的少ない本数（２本）のＬＥＤモジュール３０のみを用いて発光ユニット６０が構成されることが好ましい。
【０１７５】
また、各照明装置１の外観構成要素は、各既設装置９の外観構成要素の少なくとも一部（ベースユニット１１、反射板１２、半透明カバー部材１４、枠部材１５等のうちの１つ以上）を依然として有している。したがって、既設装置９の外観をなるべく維持しつつ（大きな外観変更を伴わずに）、既設装置９から新たな照明装置１への変更を行うことが可能である。
【０１７６】
また、各発光ユニット６０は、既設装置９のベースユニット１１内に収まるように形成される。換言すれば、発光ユニット６０の長さは、ベースユニット１１の長さよりも小さい（短い）。したがって、新たな照明装置１が既設装置９のベースユニット１１を利用して形成される場合において、発光ユニット６０がベースユニット１１よりも長い場合に比べて、外観上の違和感が発生する可能性が低減される。
【０１７７】
＜８．変形例等＞
以上、この発明の実施の形態について説明したが、この発明は上記説明した内容のものに限定されるものではない。
【０１７８】
たとえば、上記実施形態においては、端子３３，３４にハンダ付けされた接続ケーブルを介して、ＬＥＤモジュール３０とＤＣ電源７０との接続（およびＬＥＤモジュール３０同士の接続）が行われているが、これに限定されない。たとえば、端子３３，３４の位置等に端子３３，３４に代えてそれぞれ設けられた各コネクタと当該各コネクタに接続される接続ケーブルとを介して、ＬＥＤモジュール３０とＤＣ電源７０との接続（およびＬＥＤモジュール３０同士の接続）が行われてもよい。
【０１７９】
また、上記実施形態では、カバーユニット５０が常に設けられているが、これに限定されず、カバーユニット５０が設けられなくてもよい。たとえば、既設装置９の半透明カバー部材１４が発光ユニット６０（ＬＥＤモジュール３０ａ）を覆うように設けられる場合には、カバーユニット５０を設けないようにしてもよい。
【０１８０】
また、上記実施形態においては、ＬＥＤモジュール３０がモジュールベース４０を介して（間接的に）ベースユニット１１と反射板１２との少なくとも一方に取り付けられているが、これに限定されず、ＬＥＤモジュール３０はベースユニット１１と反射板１２との少なくとも一方に対して直接的に取り付けられてもよい。
【０１８１】
また、上記実施形態においては、１０種類の照明装置１Ａ〜１Ｊが例示されているが、これに限定されず、その他の各種の照明装置１が３種類のＬＥＤモジュール３０ａ，３０ｂ，３０ｃを用いて実現されてもよい。
【０１８２】
たとえば、図３４の空白欄に対応する照明装置１がさらに実現されるようにしてもよい。より具体的には、１個の大サイズのＬＥＤモジュール３０ａで構成される発光ユニット６０を２列に配列した照明装置１がさらに実現されてもよい。あるいは、３個の大サイズのＬＥＤモジュール３０ａで構成される発光ユニット６０を４列に配列した照明装置１がさらに実現されてもよい。あるいは、中サイズのＬＥＤモジュール３０ｂで構成される発光ユニット６０を２列に配列した照明装置１がさらに実現されてもよい。
【０１８３】
あるいは、３種類のＬＥＤモジュール３０ａ，３０ｂ，３０ｃを利用した更に別の組合せに係る複数のＬＥＤモジュールで構成される発光ユニット６０（４本のＬＥＤモジュール３０ａを直列に接続した発光ユニット６０等）を用いて照明装置１が実現されてもよい。
【０１８４】
また、上記実施形態においては、同一の建造物に設置されている複数の既設装置９が新たな照明装置１にリプレースされる態様について説明したが、これに限定されない。たとえば、互いに異なる建造物に設置されている複数の既設装置９がそれぞれ新たな照明装置１にリプレースされる場合に上記の発明が適用されてもよい。
【０１８５】
また、上記実施形態においては、天井付近に取り付ける照明装置について主に説明したが、これに限定されない。たとえば、壁面等に取り付ける照明装置に本発明を適用してもよい。また、居住空間向けの通常の照明装置のみならず、非常灯および／または広告用照明装置（サイン照明装置）等にも本発明を適用することが可能である。
【符号の説明】
【０１８６】
１  照明装置
９  既設装置
１１  ベースユニット
１２  反射板
１４  半透明カバー部材
１５  枠部材
３０，３０ａ，３０ｂ，３０ｃ  発光素子モジュール
３１  ＬＥＤ
３２  基板
３３，３４  端子
４０  モジュールベース
５０  カバーユニット
６０  発光ユニット
７０  電源
７５  端子台
９０  蛍光灯
【図１】
2020027740.tif 000003
【図２】
2020027740.tif 000004
【図３】
2020027740.tif 000005
【図４】
2020027740.tif 000006
【図５】
2020027740.tif 000007
【図６】
2020027740.tif 000008
【図７】
2020027740.tif 000009
【図８】
2020027740.tif 000010
【図９】
2020027740.tif 000011
【図１０】
2020027740.tif 000012
【図１１】
2020027740.tif 000013
【図１２】
2020027740.tif 000014
【図１３】
2020027740.tif 000015
【図１４】
2020027740.tif 000016
【図１５】
2020027740.tif 000017
【図１６】
2020027740.tif 000018
【図１７】
2020027740.tif 000019
【図１８】
2020027740.tif 000020
【図１９】
2020027740.tif 000021
【図２０】
2020027740.tif 000022
【図２１】
2020027740.tif 000023
【図２２】
2020027740.tif 000024
【図２３】
2020027740.tif 000025
【図２４】
2020027740.tif 000026
【図２５】
2020027740.tif 000027
【図２６】
2020027740.tif 000028
【図２７】
2020027740.tif 000029
【図２８】
2020027740.tif 000030
【図２９】
2020027740.tif 000031
【図３０】
2020027740.tif 000032
【図３１】
2020027740.tif 000033
【図３２】
2020027740.tif 000034
【図３３】
2020027740.tif 000035
【図３４】
2020027740.tif 000036
【図３５】
2020027740.tif 000037
【図３６】
2020027740.tif 000038